(57)【要約】  本発明の実施例はアップリンク信号の伝送方法及び装置を提供する。前記方法はネットワーク装置が時間領域スケジューリングユニット内のアップリンク制御信号を伝送するための物理リソースを確定することと、前記ネットワーク装置が前記アップリンク制御信号を伝送するための前記物理リソースで前記アップリンク制御信号を受信し、前記アップリンク制御信号がサイクリックプレフィックス−直交周波数分割多重（ＣＰ−ＯＦＤＭ）波形を用いて伝送されることとを含む。本発明の実施例では、アップリンク制御信号がＣＰ−ＯＦＤＭ波形を用いて伝送され、マルチ搬送波伝送特性により、アップリンク制御信号のために周波数領域における連続的又は非連続的な物理リソースを配置することができ、従来技術において、単一搬送波を用いてアップリンク制御信号に対してアップリンク伝送を行う時に、アップリンク制御信号を周波数領域における連続的な物理リソースにマッピングしなければならないことを回避し、それによってアップリンク制御信号のための物理リソースの配置の柔軟性を向上させる。
2020504481.tif 000002
【特許請求の範囲】
【請求項１】
アップリンク制御信号を伝送する方法であって、
ネットワーク装置が時間領域スケジューリングユニット内のアップリンク制御信号を伝送するための物理リソースを確定することと、
前記ネットワーク装置がアップリンク制御信号を伝送するための前記物理リソースで前記アップリンク制御信号を受信し、前記アップリンク制御信号がサイクリックプレフィックス−直交周波数分割多重（ＣＰ−ＯＦＤＭ）波形を用いて伝送されることとを含む、前記アップリンク制御信号を伝送する方法。
【請求項２】
前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられることを特徴とする
請求項１に記載の方法。
【請求項３】
前記少なくとも一つの物理リソース領域の各物理リソース領域は周波数領域において少なくとも一つの周波数領域リソースブロックで構成されることを特徴とする
請求項２に記載の方法。
【請求項４】
前記アップリンク制御信号が異なるタイプのアップリンク制御信号を含み、前記アップリンク制御信号を伝送するための物理リソースが一つのリソースブロックであり、前記リソースブロックが少なくとも一つの物理リソース領域を含み、異なる物理リソース領域が異なるタイプのアップリンク制御信号を伝送することに用いられることを特徴とする
請求項２に記載の方法。
【請求項５】
前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルであることを特徴とする
請求項２−４のいずれか一項に記載の方法。
【請求項６】
前記少なくとも一つの物理リソース領域はさらに第二の物理リソース領域を含み、前記第二の物理リソース領域と前記第一の物理リソース領域が時間領域において連続することを特徴とする
請求項５に記載の方法。
【請求項７】
前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルであることを特徴とする
請求項２−６のいずれか一項に記載の方法。
【請求項８】
前記方法はさらに、
前記ネットワーク装置が、前記端末が時間領域スケジューリングユニット内で基準信号を伝送するための物理リソースを確定し、基準信号を伝送するための前記物理リソースが前記少なくとも一つの物理リソース領域のうちの一つの物理リソース領域に配置されることを含むことを特徴とする
請求項２−７のいずれか一項に記載の方法。
【請求項９】
前記基準信号を伝送するための前記物理リソースは周波数領域又は時間領域で離散的であり、又は
前記基準信号を伝送するための物理リソース領域は周波数領域又は時間領域において連続的であることを特徴とする
請求項８に記載の方法。
【請求項１０】
前記アップリンク制御信号が複数のＡＣＫ／ＮＡＣＫ信号を含み、
前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することを特徴とする
請求項８又は９に記載の方法。
【請求項１１】
前記複数のＡＣＫ／ＮＡＣＫ信号はそれぞれ同じ長さを有する異なる直交シーケンス又は擬似直交シーケンスを用いて拡張された後、複数のＡＣＫ／ＮＡＣＫ信号を伝送するための前記リソースグループに重畳してマッピングされることを特徴とする
請求項１０に記載の方法。
【請求項１２】
前記アップリンク制御信号がさらにＣＳＩフィードバック信号を含み、
前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続することを特徴とする
請求項８又は９に記載の方法。
【請求項１３】
前記第一の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含むことを特徴とする
請求項１２に記載の方法。
【請求項１４】
前記アップリンク制御信号が複数のＡＣＫ／ＮＡＣＫ信号を含み、
前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することを特徴とする
請求項８−１３のいずれか一項に記載の方法。
【請求項１５】
前記第三の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含むことを特徴とする
請求項１４に記載の方法。
【請求項１６】
前記複数のＡＣＫ／ＮＡＣＫ信号はそれぞれ異なる時間領域スケジューリングユニット内のダウンリンクデータブロックに対応し、又は
前記複数のＡＣＫ／ＮＡＣＫ信号は同一のダウンリンクデータブロックの異なるコードワードに対応することを特徴とする
請求項１０−１５のいずれか一項に記載の方法。
【請求項１７】
前記ネットワーク装置がアップリンク制御信号を伝送するための前記物理リソースでアップリンク制御信号を受信する前に、前記方法はさらに、
前記ネットワーク装置が前記端末へ指示情報を送信し、前記指示情報が時間領域スケジューリングユニット内のアップリンク制御信号を伝送するための物理リソースを示すことに用いられることを含むことを特徴とする
請求項１−１６のいずれか一項に記載の方法。
【請求項１８】
前記ネットワーク装置が前記端末へ指示情報を送信し、前記指示情報が時間領域スケジューリングユニット内のアップリンク制御信号を伝送するための物理リソースを示すことに用いられることは、
前記ネットワーク装置が前記端末へ指示情報を送信し、前記指示情報が時間領域スケジューリングユニット内のアップリンク制御信号を伝送するための物理リソースの周波数領域リソース配置及び時間領域リソース配置を示すことに用いられることを含むことを特徴とする
請求項１７に記載の方法。
【請求項１９】
前記指示情報はさらに前記端末が前記時間領域スケジューリングユニット内でアップリンクデータを伝送するための物理リソースを示すことに用いられることを特徴とする
請求項１７又は１８に記載の方法。
【請求項２０】
前記ネットワーク装置が前記端末へ指示情報を送信することは、
前記ネットワーク装置が前記端末へ上位層シグナリング又は物理層シグナリングを送信し、前記上位層シグナリング又は前記物理層シグナリングに前記指示情報が含まれることを特徴とする
請求項１７−１９に記載の方法。
【請求項２１】
前記方法はさらに、
前記ネットワーク装置が前記アップリンク制御信号を伝送するために必要な伝送回数及び／又は前記アップリンク制御信号の拡張シーケンス長を確定することと、
前記ネットワーク装置が前記アップリンク制御信号を伝送するために必要な伝送回数及び／又は前記アップリンク制御信号の拡張シーケンス長を前記端末に指示することとを含むことを特徴とする
請求項１−２０のいずれか一項に記載の方法。
【請求項２２】
前記ネットワーク装置が前記アップリンク制御信号を伝送するために必要な伝送回数及び／又は前記アップリンク制御信号の拡張シーケンス長を前記端末に指示することは、
前記ネットワーク装置が前記端末へ前記アップリンク制御信号のシーケンス長を送信することと、
前記ネットワーク装置が前記アップリンク制御信号を伝送するための物理リソース数を前記端末に送信することとを含むことを特徴とする
請求項２１に記載の方法。
【請求項２３】
前記ネットワーク装置が前記アップリンク制御信号を伝送するために必要な伝送回数及び／又は前記アップリンク制御信号の拡張シーケンス長を前記端末に指示することは、
前記ネットワーク装置が前記端末へダウンリンク制御情報（ＤＣＩ）を送信し、前記ＤＣＩに前記アップリンク制御信号を伝送するために必要な伝送回数及び／又は前記アップリンク制御信号の拡張シーケンス長が含まれることを含むことを特徴とする
請求項２１又は２２に記載の方法。
【請求項２４】
前記ネットワーク装置が前記アップリンク制御信号を伝送するために必要な伝送回数及び／又は前記アップリンク制御信号の拡張シーケンス長を前記端末に指示することは、
前記ネットワーク装置が前記端末へ上位層シグナリングを送信し、前記上位層シグナリングに前記第一のタイプのアップリンク制御信号を伝送するために必要な伝送回数及び／又は前記第一のタイプのアップリンク制御信号の拡張シーケンス長が含まれることを含むことを特徴とする
請求項２１又は２２に記載の方法。
【請求項２５】
アップリンク制御信号を伝送する方法であって、
端末が時間領域スケジューリングユニット内のアップリンク制御信号を伝送するための物理リソースを確定することと、
前記端末が前記アップリンク制御信号を伝送するための物理リソースでネットワーク装置へ前記アップリンク制御信号を送信し、前記アップリンク制御信号がサイクリックプレフィックス−直交周波数分割多重（ＣＰ−ＯＦＤＭ）波形を用いて伝送されることとを含む、前記アップリンク制御信号を伝送する方法。
【請求項２６】
前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられることを特徴とする
請求項２５に記載の方法。
【請求項２７】
前記少なくとも一つの物理リソース領域の各物理リソース領域は周波数領域において少なくとも一つの周波数領域リソースブロックで構成されることを特徴とする請求項２６に記載の方法。
【請求項２８】
前記アップリンク制御信号が異なるタイプのアップリンク制御信号を含み、前記アップリンク制御信号を伝送するための物理リソースが一つのリソースブロックであり、前記リソースブロックが少なくとも一つの物理リソース領域を含み、異なる物理リソース領域が異なるタイプのアップリンク制御信号を伝送することに用いられることを特徴とする
請求項２６に記載の方法。
【請求項２９】
前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルであることを特徴とする
請求項２６−２８のいずれか一項に記載の方法。
【請求項３０】
前記少なくとも一つの物理リソース領域はさらに第二の物理リソース領域を含み、前記第二の物理リソース領域と前記第一の物理リソース領域が時間領域において連続することを特徴とする
請求項２９に記載の方法。
【請求項３１】
前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルであることを特徴とする
請求項２６−３０のいずれか一項に記載の方法。
【請求項３２】
前記少なくとも一つの物理リソース領域のうちの一つの物理リソース領域に、前記基準信号を伝送するための物理リソースが配置されることを特徴とする
請求項２６−３１のいずれか一項に記載の方法。
【請求項３３】
前記基準信号を伝送するための前記物理リソースは周波数領域又は時間領域で離散的であり、又は
前記基準信号を伝送するための物理リソース領域は周波数領域又は時間領域において連続的であることを特徴とする
請求項３２に記載の方法。
【請求項３４】
前記アップリンク制御信号が複数のＡＣＫ／ＮＡＣＫ信号を含み、
前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することを特徴とする
請求項３２又は３３に記載の方法。
【請求項３５】
前記端末が前記アップリンク制御信号を伝送するための物理リソースでネットワーク装置へ前記アップリンク制御信号を送信する前に、前記方法はさらに、
前記端末が同じ長さを有する異なる直交シーケンス又は擬似直交シーケンスを用いて前記複数のＡＣＫ／ＮＡＣＫ信号を拡張し、前記リソースグループにマッピングして重畳させることを含むことを特徴とする
請求項３４に記載の方法。
【請求項３６】
前記アップリンク制御信号がさらにＣＳＩフィードバック信号を含み、
前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続することを特徴とする
請求項３２又は３３に記載の方法。
【請求項３７】
前記端末が前記アップリンク制御信号を伝送するための物理リソースでネットワーク装置へ前記アップリンク制御信号を送信する前に、前記方法はさらに、
前記端末が同じ長さを有する異なる直交シーケンス又は擬似直交シーケンスを用いて前記複数のＡＣＫ／ＮＡＣＫ信号を拡張し、前記複数のＡＣＫ／ＮＡＣＫ信号の伝送回数で異なる位置のリソースグループに繰り返してマッピングし、前記リソースグループが前記複数のＡＣＫ／ＮＡＣＫ信号を伝送するための物理リソースを含むことを含むことを特徴とする
請求項３６に記載の方法。
【請求項３８】
前記アップリンク制御信号が複数のＡＣＫ／ＮＡＣＫ信号を含み、
前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することを特徴とする
請求項３２又は３３に記載の方法。
【請求項３９】
前記第三の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含むことを特徴とする
請求項３８に記載の方法。
【請求項４０】
前記複数のＡＣＫ／ＮＡＣＫ信号はそれぞれ異なる時間領域スケジューリングユニット内のダウンリンクデータブロックに対応し、又は
前記複数のＡＣＫ／ＮＡＣＫ信号は同一のダウンリンクデータブロックの異なるコードワードに対応することを特徴とする
請求項３４−３９のいずれか一項に記載の方法。
【請求項４１】
前記端末が時間領域スケジューリングユニット内のアップリンク制御信号を伝送するための物理リソースを確定することは、
前記端末が前記ネットワーク装置から送信された指示情報を受信し、前記指示情報が時間領域スケジューリングユニット内のアップリンク制御信号を伝送するための物理リソースを示すことに用いられることを含むことを特徴とする
請求項２５−４０のいずれか一項に記載の方法。
【請求項４２】
前記端末が前記ネットワーク装置から送信された指示情報を受信し、前記指示情報が時間領域スケジューリングユニット内のアップリンク制御信号を伝送するための物理リソースを示すことに用いられることは、
前記端末が前記ネットワーク装置から送信された指示情報を受信し、前記指示情報が時間領域スケジューリングユニット内のアップリンク制御信号を伝送するための物理リソースの周波数領域リソース配置及び時間領域リソース配置を示すことに用いられることを含むことを特徴とする
請求項４１に記載の方法。
【請求項４３】
前記指示情報はさらに前記端末が前記時間領域スケジューリングユニット内でアップリンクデータを伝送するための物理リソースを示すことに用いられることを特徴とする
請求項４１又は４２に記載の方法。
【請求項４４】
前記端末が前記ネットワーク装置から送信された指示情報を受信することは、
前記端末が前記ネットワーク装置から送信された上位層シグナリング又は物理層シグナリングを受信し、前記上位層シグナリング又は前記物理層シグナリングに前記指示情報が含まれることを含むことを特徴とする
請求項４１−４３に記載の方法。
【請求項４５】
前記方法はさらに、
前記端末が前記ネットワーク装置からの指示に応じて、前記アップリンク制御信号を伝送するために必要な伝送回数及び／又は前記アップリンク制御信号の拡張シーケンス長を確定することを含み、
前記端末が前記アップリンク制御信号を伝送するための物理リソースでネットワーク装置へ前記アップリンク制御信号を送信することはさらに、
前記端末が前記アップリンク制御信号を伝送するために必要な伝送回数及び／又は前記アップリンク制御信号の拡張シーケンス長で、前記アップリンク制御信号を伝送するための物理リソースでネットワーク装置へ前記アップリンク制御信号を送信することを含むことを特徴とする
請求項２５−４４のいずれか一項に記載の方法。
【請求項４６】
前記端末が前記ネットワーク装置からの指示に応じて、前記アップリンク制御信号を伝送するために必要な伝送回数及び／又は前記アップリンク制御信号の拡張シーケンス長を確定することは、
前記端末が前記ネットワーク装置から送信された前記アップリンク制御信号のシーケンス長を受信することと、
前記端末が前記ネットワーク装置から送信された、前記アップリンク制御信号を伝送するための物理リソース数を受信することと、
前記端末が前記アップリンク制御信号のシーケンス長と前記アップリンク制御信号を伝送するための物理リソース数に基づき、前記アップリンク制御信号を伝送するために必要な伝送回数を確定することとを含むことを特徴とする
請求項４５に記載の方法。
【請求項４７】
前記端末が前記ネットワーク装置からの指示に応じて、前記アップリンク制御信号を伝送するために必要な伝送回数及び／又は前記アップリンク制御信号の拡張シーケンス長を確定することは、
前記端末が前記ネットワーク装置から送信されたダウンリンク制御情報（ＤＣＩ）を受信し、前記ＤＣＩに前記アップリンク制御信号を伝送するために必要な伝送回数及び／又は前記アップリンク制御信号の拡張シーケンス長が含まれることを含むことを特徴とする
請求項４５又は４６に記載の方法。
【請求項４８】
前記端末が前記ネットワーク装置からの指示に応じて、前記アップリンク制御信号を伝送するために必要な伝送回数及び／又は前記アップリンク制御信号の拡張シーケンス長を確定することは、
前記端末が前記ネットワーク装置から送信された上位層シグナリングを受信し、前記上位層シグナリングに前記第一のタイプのアップリンク制御信号を伝送するために必要な伝送回数及び／又は前記第一のタイプのアップリンク制御信号の拡張シーケンス長が含まれることを含むことを特徴とする
請求項４５又は４６に記載の方法。
【請求項４９】
アップリンク制御信号の伝送装置であって、
時間領域スケジューリングユニット内のアップリンク制御信号を伝送するための物理リソースを確定するように構成される第一の確定モジュールと、
アップリンク制御信号を伝送するための前記物理リソースで前記アップリンク制御信号を受信するように構成され、前記アップリンク制御信号がサイクリックプレフィックス−直交周波数分割多重（ＣＰ−ＯＦＤＭ）波形を用いて伝送される受信モジュールとを備える、前記アップリンク制御信号の伝送装置。
【請求項５０】
前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられることを特徴とする
請求項４９に記載の装置。
【請求項５１】
前記少なくとも一つの物理リソース領域の各物理リソース領域は周波数領域において少なくとも一つの周波数領域リソースブロックで構成されることを特徴とする
請求項５０に記載の装置。
【請求項５２】
前記アップリンク制御信号が異なるタイプのアップリンク制御信号を含み、前記アップリンク制御信号を伝送するための物理リソースが一つのリソースブロックであり、前記リソースブロックが少なくとも一つの物理リソース領域を含み、異なる物理リソース領域が異なるタイプのアップリンク制御信号を伝送することに用いられることを特徴とする
請求項５０に記載の装置。
【請求項５３】
前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルであることを特徴とする
請求項５０−５２のいずれか一項に記載の装置。
【請求項５４】
前記少なくとも一つの物理リソース領域はさらに第二の物理リソース領域を含み、前記第二の物理リソース領域と前記第一の物理リソース領域が時間領域において連続することを特徴とする
請求項５３に記載の装置。
【請求項５５】
前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルであることを特徴とする
請求項５０−５４のいずれか一項に記載の装置。
【請求項５６】
前記装置はさらに、
前記端末が時間領域スケジューリングユニット内で基準信号を伝送するための物理リソースを確定するように構成され、基準信号を伝送するための前記物理リソースが前記少なくとも一つの物理リソース領域のうちの一つの物理リソース領域に配置される第二の確定モジュールを備えることを特徴とする
請求項５０−５５のいずれか一項に記載の装置。
【請求項５７】
前記基準信号を伝送するための前記物理リソースは周波数領域又は時間領域で離散的であり、又は
前記基準信号を伝送するための物理リソース領域は周波数領域又は時間領域において連続的であることを特徴とする
請求項５６に記載の装置。
【請求項５８】
前記アップリンク制御信号が複数のＡＣＫ／ＮＡＣＫ信号を含み、
前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することを特徴とする
請求項５６又は５７に記載の装置。
【請求項５９】
前記複数のＡＣＫ／ＮＡＣＫ信号はそれぞれ同じ長さを有する異なる直交シーケンス又は擬似直交シーケンスを用いて拡張された後、複数のＡＣＫ／ＮＡＣＫ信号を伝送するための前記リソースグループに重畳してマッピングされることを特徴とする
請求項５８に記載の装置。
【請求項６０】
前記アップリンク制御信号がさらにＣＳＩフィードバック信号を含み、
前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続することを特徴とする
請求項５６又は５７に記載の装置。
【請求項６１】
前記第一の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループは前記複数のＡＣＫ／ＮＡＣＫ信号を伝送するための物理リソースを含むことを特徴とする
請求項６０に記載の装置。
【請求項６２】
前記アップリンク制御信号が複数のＡＣＫ／ＮＡＣＫ信号を含み、
前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することを特徴とする
請求項５６−６１のいずれか一項に記載の装置。
【請求項６３】
前記第三の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含むことを特徴とする
請求項６２に記載の装置。
【請求項６４】
前記複数のＡＣＫ／ＮＡＣＫ信号はそれぞれ異なる時間領域スケジューリングユニット内のダウンリンクデータブロックに対応し、又は
前記複数のＡＣＫ／ＮＡＣＫ信号は同一のダウンリンクデータブロックの異なるコードワードに対応することを特徴とする
請求項５８−６３のいずれか一項に記載の装置。
【請求項６５】
前記装置はさらに、
前記端末へ指示情報を送信するように構成され、前記指示情報が時間領域スケジューリングユニット内のアップリンク制御信号を伝送するための物理リソースを示すことに用いられる送信モジュールを備えることを特徴とする
請求項４９−６４のいずれか一項に記載の装置。
【請求項６６】
前記送信モジュールは具体的に、
前記端末へ指示情報を送信するように構成され、前記指示情報が時間領域スケジューリングユニット内のアップリンク制御信号を伝送するための物理リソースの周波数領域リソース配置及び時間領域リソース配置を示すことに用いられることを特徴とする
請求項６５に記載の装置。
【請求項６７】
前記指示情報はさらに前記端末が前記時間領域スケジューリングユニット内でアップリンクデータを伝送するための物理リソースを示すことに用いられることを特徴とする
請求項６５又は６６に記載の装置。
【請求項６８】
前記送信モジュールは具体的に、
前記端末へ上位層シグナリング又は物理層シグナリングを送信するように構成され、前記上位層シグナリング又は前記物理層シグナリングに前記指示情報が含まれることを特徴とする
請求項６５−６７に記載の装置。
【請求項６９】
前記装置はさらに、
前記アップリンク制御信号を伝送するために必要な伝送回数及び／又は前記アップリンク制御信号の拡張シーケンス長を確定するように構成される第三の確定モジュールと、
前記アップリンク制御信号を伝送するために必要な伝送回数及び／又は前記アップリンク制御信号の拡張シーケンス長を前記端末に指示するように構成される指示モジュールとを備えることを特徴とする
請求項４９−６８のいずれか一項に記載の装置。
【請求項７０】
前記指示モジュールは具体的に、
前記端末へ前記アップリンク制御信号のシーケンス長を送信し、
前記アップリンク制御信号を伝送するための物理リソース数を前記端末に送信するように構成されることを特徴とする
請求項６９に記載の装置。
【請求項７１】
前記指示モジュールは具体的に、
前記端末へダウンリンク制御情報（ＤＣＩ）を送信するように構成され、前記ＤＣＩに前記アップリンク制御信号を伝送するために必要な伝送回数及び／又は前記アップリンク制御信号の拡張シーケンス長が含まれることを特徴とする
請求項６９又は７０に記載の装置。
【請求項７２】
前記指示モジュールは具体的に、
前記端末へ上位層シグナリングを送信するように構成され、前記上位層シグナリングに前記第一のタイプのアップリンク制御信号を伝送するために必要な伝送回数及び／又は前記第一のタイプのアップリンク制御信号の拡張シーケンス長が含まれることを特徴とする
請求項６９又は７０に記載の装置。
【請求項７３】
アップリンク制御信号の伝送装置であって、
時間領域スケジューリングユニット内のアップリンク制御信号を伝送するための物理リソースを確定するように構成される第一の確定モジュールと、
前記アップリンク制御信号を伝送するための物理リソースでネットワーク装置へ前記アップリンク制御信号を送信するように構成され、前記アップリンク制御信号がサイクリックプレフィックス−直交周波数分割多重（ＣＰ−ＯＦＤＭ）波形を用いて伝送される送信モジュールとを備える、前記アップリンク制御信号の伝送装置。
【請求項７４】
前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられることを特徴とする
請求項７３に記載の装置。
【請求項７５】
前記少なくとも一つの物理リソース領域の各物理リソース領域は周波数領域において少なくとも一つの周波数領域リソースブロックで構成されることを特徴とする
請求項７４に記載の装置。
【請求項７６】
前記アップリンク制御信号が異なるタイプのアップリンク制御信号を含み、前記アップリンク制御信号を伝送するための物理リソースが一つのリソースブロックであり、前記リソースブロックが少なくとも一つの物理リソース領域を含み、異なる物理リソース領域が異なるタイプのアップリンク制御信号を伝送することに用いられることを特徴とする
請求項７４に記載の装置。
【請求項７７】
前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルであることを特徴とする
請求項７４−７６のいずれか一項に記載の装置。
【請求項７８】
前記少なくとも一つの物理リソース領域はさらに第二の物理リソース領域を含み、前記第二の物理リソース領域と前記第一の物理リソース領域が時間領域において連続することを特徴とする
請求項７７に記載の装置。
【請求項７９】
前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルであることを特徴とする
請求項７４−７８のいずれか一項に記載の装置。
【請求項８０】
前記少なくとも一つの物理リソース領域のうちの一つの物理リソース領域に、前記基準信号を伝送するための物理リソースが配置されることを特徴とする
請求項７４−７９のいずれか一項に記載の装置。
【請求項８１】
前記基準信号を伝送するための前記物理リソースは周波数領域又は時間領域で離散的であり、又は
前記基準信号を伝送するための物理リソース領域は周波数領域又は時間領域において連続的であることを特徴とする
請求項８０に記載の装置。
【請求項８２】
前記アップリンク制御信号が複数のＡＣＫ／ＮＡＣＫ信号を含み、
前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することを特徴とする
請求項８０又は８１に記載の装置。
【請求項８３】
前記装置はさらに、
同じ長さを有する異なる直交又は擬似直交シーケンスを用いて前記複数のＡＣＫ／ＮＡＣＫ信号を拡張し、前記リソースグループにマッピングして重畳させるように構成される第一のマッピングモジュールを備えることを特徴とする
請求項８２に記載の装置。
【請求項８４】
前記アップリンク制御信号がさらにＣＳＩフィードバック信号を含み、
前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続することを特徴とする
請求項８０又は８１に記載の装置。
【請求項８５】
前記装置はさらに、
同じ長さを有する異なる直交シーケンス又は擬似直交シーケンスを用いて前記複数のＡＣＫ／ＮＡＣＫ信号を拡張し、前記複数のＡＣＫ／ＮＡＣＫ信号の伝送回数で異なる位置のリソースグループに繰り返してマッピングするように構成され、前記リソースグループが前記複数のＡＣＫ／ＮＡＣＫ信号を伝送するための物理リソースを含む第二のマッピングモジュールを備えることを特徴とする
請求項８４に記載の装置。
【請求項８６】
前記アップリンク制御信号が複数のＡＣＫ／ＮＡＣＫ信号を含み、
前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することを特徴とする
請求項８０又は８１に記載の装置。
【請求項８７】
前記第三の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含むことを特徴とする
請求項８６に記載の装置。
【請求項８８】
前記複数のＡＣＫ／ＮＡＣＫ信号はそれぞれ異なる時間領域スケジューリングユニット内のダウンリンクデータブロックに対応し、又は
前記複数のＡＣＫ／ＮＡＣＫ信号は同一のダウンリンクデータブロックの異なるコードワードに対応することを特徴とする
請求項７３−８７のいずれか一項に記載の装置。
【請求項８９】
前記第一の確定モジュールは、
前記ネットワーク装置から送信された指示情報を受信するように構成され、前記指示情報が時間領域スケジューリングユニット内のアップリンク制御信号を伝送するための物理リソースを示すことに用いられることを特徴とする
請求項７３−８８のいずれか一項に記載の装置。
【請求項９０】
前記第一の確定モジュールは具体的に、
前記ネットワーク装置から送信された指示情報を受信するように構成され、前記指示情報が時間領域スケジューリングユニット内のアップリンク制御信号を伝送するための物理リソースの周波数領域リソース配置及び時間領域リソース配置を示すことに用いられることを特徴とする
請求項８９に記載の装置。
【請求項９１】
前記指示情報はさらに前記端末が前記時間領域スケジューリングユニット内でアップリンクデータを伝送するための物理リソースを示すことに用いられることを特徴とする
請求項８９又は９０に記載の装置。
【請求項９２】
前記第一の確定モジュールは具体的に、
前記ネットワーク装置から送信された上位層シグナリング又は物理層シグナリングを受信するように構成され、前記上位層シグナリング又は前記物理層シグナリングに前記指示情報が含まれることを特徴とする
請求項８９−９１のいずれかに記載の装置。
【請求項９３】
前記装置はさらに、
前記ネットワーク装置からの指示に応じて、前記アップリンク制御信号を伝送するために必要な伝送回数及び／又は前記アップリンク制御信号の拡張シーケンス長を確定するように構成される第二の確定モジュールを備え、
前記送信モジュールは具体的に、
前記アップリンク制御信号を伝送するために必要な伝送回数及び／又は前記アップリンク制御信号の拡張シーケンス長で、前記アップリンク制御信号を伝送するための物理リソースでネットワーク装置へ前記アップリンク制御信号を送信するように構成されることを特徴とする
請求項７３−９２のいずれか一項に記載の装置。
【請求項９４】
前記第二の確定モジュールは具体的に、
前記ネットワーク装置から送信された前記アップリンク制御信号のシーケンス長を受信し、
前記ネットワーク装置から送信された、前記アップリンク制御信号を伝送するための物理リソース数を受信し、
前記アップリンク制御信号のシーケンス長と前記アップリンク制御信号を伝送するための物理リソース数に基づき、前記アップリンク制御信号を伝送するために必要な伝送回数を確定するように構成されることを特徴とする
請求項９３に記載の装置。
【請求項９５】
前記第二の確定モジュールは具体的に、
前記ネットワーク装置から送信されたダウンリンク制御情報（ＤＣＩ）を受信するように構成され、前記ＤＣＩに前記アップリンク制御信号を伝送するために必要な伝送回数及び／又は前記アップリンク制御信号の拡張シーケンス長が含まれることを特徴とする
請求項９３又は９４に記載の装置。
【請求項９６】
前記第二の確定モジュールは具体的に、
前記ネットワーク装置から送信された上位層シグナリングを受信するように構成され、前記上位層シグナリングに前記第一のタイプのアップリンク制御信号を伝送するために必要な伝送回数及び／又は前記第一のタイプのアップリンク制御信号の拡張シーケンス長が含まれることを特徴とする請求項９３又は９４に記載の装置。
【発明の詳細な説明】
【技術分野】
【０００１】
本発明の実施例は通信分野に関し、且つより具体的には、アップリンク信号の伝送方法及び装置に関する。
【背景技術】
【０００２】
現在のＬＴＥ通信システムでは、アップリンク伝送において単一搬送波の伝送方式を用い、主に離散フーリエ変換−拡散周波数分割多元接続（ＤＦＴ−Ｓ−ＦＤＭＡ：Ｄｉｓｃｒｅｔｅ  Ｆｏｕｒｉｅｒ  Ｔｒａｎｓｆｏｒｍ−  Ｓｐｒｅａｄｉｎｇ−Ｆｒｅｑｕｅｎｃｙ  Ｄｉｖｉｓｉｏｎ  Ｍｕｌｔｉｐｌｅ  Ａｃｃｅｓｓ）波形によりアップリンク伝送を行う。単一搬送波の伝送方式の主な特徴はピーク対平均電力比（ＰＡＰＲ：Ｐｅａｋ  ｔｏ  ａｖｅｒａｇｅ  ｐｏｗｅｒ  ｒａｔｉｏ）が小さいことである。即ち、端末は、ネットワーク装置とアップリンク信号の伝送を行う時に、端末がサポートできる最大伝送電力を超えることを心配することなく、大きい電力を用いることができる。このようにして、単一搬送波のアップリンク伝送方式により、端末の伝送電力を向上させてアップリンク伝送の伝送品質とカバレッジを拡大することが容易になる。
【０００３】
しかしながら、単一搬送波のアップリンク伝送方式を用いてアップリンク信号を伝送する場合、単一搬送波の伝送方式の特性を満たすために、アップリンクデータの物理リソースが周波数領域において連続しなければならない。上述したように、単一搬送波伝送のための物理リソース配置方式により、アップリンク信号を伝送する時に、一つの時間領域スケジューリングユニット（タイムスロット）内の割り当てられた周波数領域物理リソース全体で一つのタイプのアップリンク制御信号のみを伝送することができ、これにより、アップリンク信号伝送の柔軟性が制限される。
【発明の概要】
【発明が解決しようとする課題】
【０００４】
本発明の実施例は、アップリンク制御信号のための物理リソースの配置の柔軟性を向上させるために、アップリンク信号の伝送方法及び装置を提供する。
【課題を解決するための手段】
【０００５】
第一の態様によるアップリンク制御信号を伝送する方法は、ネットワーク装置が時間領域スケジューリングユニット内のアップリンク制御信号を伝送するための物理リソースを確定することと、前記ネットワーク装置が前記アップリンク制御信号を伝送するための前記物理リソースで前記アップリンク制御信号を受信し、前記アップリンク制御信号がサイクリックプレフィックス−直交周波数分割多重（ＣＰ−ＯＦＤＭ）波形を用いて伝送されることとを含む。
【０００６】
本発明の実施例では、アップリンク制御信号がＣＰ−ＯＦＤＭ波形を用いて伝送され、マルチ搬送波伝送特性により、アップリンク制御信号のために周波数領域における連続的又は非連続的な物理リソースを配置することができ、従来技術において、単一搬送波を用いてアップリンク制御信号に対してアップリンク伝送を行う時に、アップリンク制御信号を周波数領域における連続的な物理リソースにマッピングしなければならないことを回避し、それによってアップリンク制御信号のための物理リソースの配置の柔軟性を向上させる。
【０００７】
第一の態様と組み合わせ、第一の態様の一つの可能な実施形態では、前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられる。
【０００８】
時間領域スケジューリングユニット内で、アップリンク制御信号を伝送するための物理リソースを少なくとも一つの物理リソース領域に分割し、そして異なる物理リソース領域で異なるタイプのアップリンク制御信号を伝送することにより、時間領域スケジューリングユニット内の物理リソースで複数の異なるタイプのアップリンク制御信号を同時に伝送することを実現し、アップリンク制御信号の伝送の柔軟性を向上させる。
【０００９】
第一の態様又は上記のいずれかの可能な実施形態と組み合わせ、第一の態様の可能な実施形態では、前記少なくとも一つの物理リソース領域の各物理リソース領域は周波数領域において少なくとも一つの周波数領域リソースブロックで構成される。
【００１０】
第一の態様又は上記のいずれかの可能な実施形態と組み合わせ、第一の態様の一つの可能な実施形態では、前記アップリンク制御信号が異なるタイプのアップリンク制御信号を含み、前記アップリンク制御信号を伝送するための物理リソースが一つのリソースブロックであり、前記リソースブロックが少なくとも一つの物理リソース領域を含み、異なる物理リソース領域が異なるタイプのアップリンク制御信号を伝送することに用いられる。
【００１１】
一つのリソースブロックを複数の物理リソース領域に分割することにより、一つのリソースブロックで複数の異なるタイプのアップリンク制御信号を同時に伝送することを実現し、アップリンク制御信号の伝送の柔軟性を向上させる。
【００１２】
第一の態様又は上記のいずれかの可能な実施形態と組み合わせ、第一の態様の可能な実施形態では、前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルである。
【００１３】
第一の物理リソース領域の１番目のＯＦＤＭをアップリンク制御信号を伝送するための物理リソースの１番目のＯＦＤＭに配置することにより、第一の物理リソースで伝送されるアップリンク制御信号が迅速に伝送されてもよいことを実現する。
【００１４】
第一の態様又は上記のいずれかの可能な実施形態と組み合わせ、第一の態様の可能な実施形態では、前記少なくとも一つの物理リソース領域はさらに第二の物理リソース領域を含み、前記第二の物理リソース領域と前記第一の物理リソース領域が時間領域において連続する。
【００１５】
アップリンク制御信号を伝送するための物理リソースで第二の物理リソース伝送領域を配置することにより、時間領域スケジューリングユニットで複数の異なるタイプのアップリンク制御信号を伝送することを実現し、同時に第二の物理リソースと第一の物理リソース領域が時間領域において連続し、それによってアップリンク制御信号を伝送するための物理リソースの利用率を向上させることができる。
【００１６】
第一の態様又は上記のいずれかの可能な実施形態と組み合わせ、第一の態様の可能な実施形態では、前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルである。
【００１７】
アップリンク制御信号を伝送するための物理リソースで第三の物理リソース領域を配置することにより、時間領域スケジューリングユニットで複数の異なるタイプのアップリンク制御信号を伝送することを実現し、アップリンク制御信号の伝送の柔軟性を向上する。
【００１８】
第一の態様又は上記の可能な実施形態と組み合わせ、第一の態様の一つの可能な実施形態では、前記方法はさらに前記ネットワーク装置が、前記端末が時間領域スケジューリングユニット内で基準信号を伝送するための物理リソースを確定し、基準信号を伝送するための前記物理リソースが前記少なくとも一つの物理リソース領域のうちの一つの物理リソース領域に配置されることを含む。
【００１９】
少なくとも一つの物理リソース領域のうちの一つの物理リソース領域で、アップリンク制御信号のための物理リソースを配置しながら基準信号のための物理リソースを配置することにより、アップリンク信号（アップリンク制御信号と基準信号を含むことができる）のための物理リソースの配置の柔軟性を向上させることができる。
【００２０】
第一の態様又は上記のいずれかの可能な実施形態と組み合わせ、第一の態様の可能な実施形態では、前記基準信号を伝送するための物理リソース領域が周波数領域又は時間領域において離散的であり、又は前記基準信号を伝送するための前記物理リソースが周波数領域又は時間領域において連続的である。
【００２１】
基準信号を伝送するために配置された物理リソースは、基準信号のための物理リソースの配置の柔軟性を向上させるように、周波数領域又は時間領域において離散的又は周波数領域又は時間領域において連続的であってもよい。
【００２２】
第一の態様又は上記のいずれかの可能な実施形態と組み合わせ、第一の態様の一つの可能な実施形態では、前記アップリンク制御信号が複数のＡＣＫ／ＮＡＣＫ信号を含み、前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【００２３】
ネットワーク装置が第一の物理リソース領域でＡＣＫ／ＮＡＣＫ信号と基準信号を同時に取得し、そして基準信号によりＡＣＫ／ＮＡＣＫ信号を復調し、ＡＣＫ／ＮＡＣＫ信号の内容を確定することができるように、第一の物理リソース領域にＡＣＫ／ＮＡＣＫ信号と基準信号を伝送するための物理リソースを同時に配置することにより、ＡＣＫ／ＮＡＣＫ信号の伝送及び復調速度を向上させ、それによってデータ伝送の速度を向上させる。
【００２４】
第一の態様又は上記のいずれかの可能な実施形態と組み合わせ、第一の態様の一つの可能な実施形態では、前記複数のＡＣＫ／ＮＡＣＫ信号はそれぞれ同じ長さを有する異なる直交又は擬似直交シーケンスを用いて拡張された後に、複数のＡＣＫ／ＮＡＣＫ信号を伝送するための前記リソースグループに重畳してマッピングされる。
【００２５】
第一の態様又は上記のいずれかの可能な実施形態と組み合わせ、第一の態様の一つの可能な実施形態では、前記アップリンク制御信号がさらにＣＳＩフィードバック信号を含み、前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続しない。
【００２６】
第二の物理リソース伝送領域に基準信号を伝送するための物理リソースを配置することにより、アップリンク信号の伝送の柔軟性を向上させる。
【００２７】
選択可能に、前記アップリンク制御信号がさらにＣＳＩフィードバック信号を含み、前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続し、そして第一の物理リソース領域でＡＣＫ／ＮＡＣＫ信号を伝送する。
【００２８】
第二の物理リソース領域に基準信号を伝送するための物理リソースを配置することにより、第一の物理リソース領域で基準信号のための物理リソースを配置することなく、全体がアップリンク制御信号を伝送することに用いられ、第一の物理リソースでアップリンク制御信号を伝送するカバレッジ率を向上させる。
【００２９】
第一の態様又は上記のいずれかの可能な実施形態と組み合わせ、第一の態様の一つの可能な実施形態では、前記第一の物理リソース伝送領域において、前記複数のＡＣＫ／ＮＡＣＫ信号は同じ長さを有する異なる直交又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループは前記複数のＡＣＫ／ＮＡＣＫ信号を伝送するための物理リソースを含む。
【００３０】
第一の態様又は上記のいずれかの可能な実施形態と組み合わせ、第一の態様の一つの可能な実施形態では、前記アップリンク制御信号が複数のＡＣＫ／ＮＡＣＫ信号を含み、前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【００３１】
ネットワーク装置が第三の物理リソース領域でＡＣＫ／ＮＡＣＫ信号と基準信号を同時に取得し、そして基準信号によりＡＣＫ／ＮＡＣＫ信号を復調し、ＡＣＫ／ＮＡＣＫ信号の内容を確定することができるように、第三の物理リソース領域にＡＣＫ／ＮＡＣＫ信号と基準信号を伝送ための物理リソースを同時に配置することにより、ＡＣＫ／ＮＡＣＫ信号の伝送及び復調速度を向上させ、それによってデータ伝送の速度を向上させる。
【００３２】
第一の態様又は上記のいずれかの可能な実施形態と組み合わせ、第一の態様の一つの可能な実施形態では、前記第三の物理リソース伝送領域において、前記複数のＡＣＫ／ＮＡＣＫ信号は同じ長さを有する異なる直交又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含む。
【００３３】
第一の態様又は上記のいずれかの可能な実施形態と組み合わせ、第一の態様の一つの可能な実施形態では、前記複数のＡＣＫ／ＮＡＣＫ信号はそれぞれ異なる時間領域スケジューリングユニット内のダウンリンクデータブロックに対応し、又は前記複数のＡＣＫ／ＮＡＣＫ信号は同一のダウンリンクデータブロックの異なるコードワードに対応する。
【００３４】
第一の態様又は上記のいずれかの可能な実施形態と組み合わせ、第一の態様の一つの可能な実施形態では、前記ネットワーク装置がアップリンク制御信号を伝送するための前記物理リソースでアップリンク制御信号を受信する前に、前記方法はさらに前記ネットワーク装置が前記端末へ指示情報を送信し、前記指示情報が時間領域スケジューリングユニット内のアップリンク制御信号を伝送するための物理リソースを示すことに用いられることを含む。
【００３５】
第一の態様又は上記のいずれかの可能な実施形態と組み合わせ、第一の態様の一つの可能な実施形態では、前記ネットワーク装置が前記端末へ指示情報を送信し、前記指示情報が時間領域スケジューリングユニット内のアップリンク制御信号を伝送するための物理リソースを示すことに用いられることは、前記ネットワーク装置が前記端末へ指示情報を送信し、前記指示情報が時間領域スケジューリングユニット内のアップリンク制御信号を伝送するための物理リソースの周波数領域リソース配置と時間領域リソース配置を示すことに用いられることを含む。
【００３６】
第一の態様又は上記のいずれかの可能な実施形態と組み合わせ、第一の態様の一つの可能な実施形態では、前記指示情報はさらに前記端末が前記時間領域スケジューリングユニット内でアップリンクデータを伝送するための物理リソースを示すことに用いられる。
【００３７】
第一の態様又は上記のいずれかの可能な実施形態と組み合わせ、第一の態様の一つの可能な実施形態では、前記ネットワーク装置が前記端末へ指示情報を送信することは、前記ネットワーク装置が前記端末へ上位層シグナリング又は物理層シグナリングを送信し、前記上位層シグナリング又は前記物理層シグナリングに前記指示情報が含まれることを含む。
【００３８】
第一の態様又は上記のいずれかの可能な実施形態と組み合わせ、第一の態様の一つの可能な実施形態では、前記方法はさらに前記ネットワーク装置が前記アップリンク制御信号を伝送するために必要な伝送回数及び／又は前記アップリンク制御信号の拡張シーケンス長を確定することと、前記ネットワーク装置が、前記アップリンク制御信号を伝送するために必要な伝送回数及び／又は前記アップリンク制御信号の拡張シーケンス長を前記端末に指示することとを含む。
【００３９】
ネットワーク装置が、前記アップリンク制御信号を伝送するために必要な伝送回数及び／又は前記アップリンク制御信号の拡張シーケンス長を前記端末に指示することにより、該アップリンク制御信号伝送のカバレッジ率を向上させる。
【００４０】
第一の態様又は上記のいずれかの可能な実施形態と組み合わせ、第一の態様の一つの可能な実施形態では、前記ネットワーク装置が、前記アップリンク制御信号を伝送するために必要な伝送回数及び／又は前記アップリンク制御信号の拡張シーケンス長を前記端末に指示することは、前記ネットワーク装置が前記端末へ前記アップリンク制御信号のシーケンス長を送信することと、前記ネットワーク装置が、前記アップリンク制御信号を伝送するための物理リソース数を前記端末に送信することとを含む。
【００４１】
第一の態様又は上記のいずれかの可能な実施形態と組み合わせ、第一の態様の一つの可能な実施形態では、前記ネットワーク装置が、前記アップリンク制御信号を伝送するために必要な伝送回数及び／又は前記アップリンク制御信号の拡張シーケンス長を前記端末に指示することは、前記ネットワーク装置が前記端末へダウンリンク制御情報（ＤＣＩ）を送信し、前記ＤＣＩに前記アップリンク制御信号を伝送するために必要な伝送回数及び／又は前記アップリンク制御信号の拡張シーケンス長が含まれることを含む。
【００４２】
第一の態様又は上記のいずれかの可能な実施形態と組み合わせ、第一の態様の一つの可能な実施形態では、前記ネットワーク装置が、前記アップリンク制御信号を伝送するために必要な伝送回数及び／又は前記アップリンク制御信号の拡張シーケンス長を前記端末に指示することは、前記ネットワーク装置が前記端末へ上位層シグナリングを送信し、前記上位層シグナリングに前記第一のタイプのアップリンク制御信号を伝送するために必要な伝送回数及び／又は前記第一のタイプのアップリンク制御信号の拡張シーケンス長が含まれることを含む。
【００４３】
第二の態様によるアップリンク制御信号を伝送する方法は、端末が時間領域スケジューリングユニット内のアップリンク制御信号を伝送するための物理リソースを確定することと、前記端末が前記アップリンク制御信号を伝送するための物理リソースでネットワーク装置へ前記アップリンク制御信号を送信し、前記アップリンク制御信号がサイクリックプレフィックス−直交周波数分割多重（ＣＰ−ＯＦＤＭ）波形を用いて伝送されることとを含む。
【００４４】
本発明の実施例では、アップリンク制御信号がＣＰ−ＯＦＤＭ波形を用いて伝送され、マルチ搬送波伝送特性により、アップリンク制御信号のために周波数領域における連続的又は非連続的な物理リソースを配置することができ、従来技術において、単一搬送波を用いてアップリンク制御信号に対してアップリンク伝送を行う時に、アップリンク制御信号を周波数領域における連続的な物理リソースにマッピングしなければならないことを回避し、それによってアップリンク制御信号の物理リソースの配置の柔軟性を向上させる。
【００４５】
第二の態様と組み合わせ、第二の態様の一つの可能な実施形態では、前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられる。
【００４６】
時間領域スケジューリングユニット内で、アップリンク制御信号を少なくとも一つの物理リソース領域に分割し、そして異なる物理リソース領域で異なるタイプのアップリンク制御信号を伝送することにより、時間領域スケジューリングユニット内の物理リソースで複数の異なるタイプのアップリンク制御信号を同時に伝送することを実現し、アップリンク制御信号の伝送の柔軟性を向上させる。
【００４７】
第二の態様又は上記のいずれかの可能な実施形態と組み合わせ、第二の態様の可能な実施形態では、前記少なくとも一つの物理リソース領域の各物理リソース領域は周波数領域において少なくとも一つの周波数領域リソースブロックで構成される。
【００４８】
第二の態様又は上記のいずれかの可能な実施形態と組み合わせ、第二の態様の一つの可能な実施形態では、前記アップリンク制御信号が異なるタイプのアップリンク制御信号を含み、前記アップリンク制御信号を伝送するための物理リソースが一つのリソースブロックであり、前記リソースブロックが少なくとも一つの物理リソース領域を含み、異なる物理リソース領域が異なるタイプのアップリンク制御信号を伝送することに用いられる。
【００４９】
一つのリソースブロックを複数の物理リソース領域に分割することにより、一つのリソースブロックで複数の異なるタイプのアップリンク制御信号を同時に伝送することを実現し、アップリンク制御信号の伝送の柔軟性を向上させる。
【００５０】
第二の態様又は上記のいずれかの可能な実施形態と組み合わせ、第二の態様の可能な実施形態では、前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルである。
【００５１】
第一の物理リソース領域の１番目のＯＦＤＭをアップリンク制御信号を伝送するための物理リソースの１番目のＯＦＤＭに配置することにより、第一の物理リソースで伝送されるアップリンク制御信号が迅速に伝送されてもよいことを実現する。
【００５２】
第二の態様又は上記のいずれかの可能な実施形態と組み合わせ、第二の態様の可能な実施形態では、前記少なくとも一つの物理リソース領域はさらに第二の物理リソース領域を含み、前記第二の物理リソース領域と前記第一の物理リソース領域が時間領域において連続する。
【００５３】
アップリンク制御信号を伝送するための物理リソースで第二の物理リソース伝送領域を配置することにより、時間領域スケジューリングユニットで複数の異なるタイプのアップリンク制御信号を伝送することを実現し、同時に第二の物理リソースと第一の物理リソース領域が時間領域において連続し、それによってアップリンク制御信号を伝送するための物理リソースの利用率を向上させることができる。
【００５４】
第二の態様又は上記のいずれかの可能な実施形態と組み合わせ、第二の態様の可能な実施形態では、前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルである。
【００５５】
アップリンク制御信号を伝送するための物理リソースで第三の物理リソース領域を配置することにより、時間領域スケジューリングユニットで複数の異なるタイプのアップリンク制御信号を伝送することを実現し、アップリンク制御信号の伝送の柔軟性を向上する。
【００５６】
第二の態様又は上記のいずれかの可能な実施形態と組み合わせ、第二の態様の可能な実施形態では、前記少なくとも一つの物理リソース領域のうちの一つの物理リソース領域に、前記基準信号を伝送するための物理リソースが配置される。
【００５７】
少なくとも一つの物理リソース領域のうちの一つの物理リソース領域で、アップリンク制御信号のための物理リソースを配置しながら基準信号のための物理リソースを配置することにより、アップリンク信号（アップリンク制御信号と基準信号を含むことができる）のための物理リソースの配置の柔軟性を向上させることができる。
【００５８】
第二の態様又は上記のいずれかの可能な実施形態と組み合わせ、第二の態様の可能な実施形態では、前記基準信号を伝送するための前記物理リソース領域は周波数領域又は時間領域において離散的であり、又は前記基準信号を伝送するための前記物理リソースは周波数領域又は時間領域において連続的である。
【００５９】
基準信号のための物理リソースの配置の柔軟性を向上させるために、基準信号を伝送するために配置された物理リソースは、周波数領域又は時間領域において離散的又は周波数領域又は時間領域において連続的であってもよい。
【００６０】
第二の態様又は上記のいずれかの可能な実施形態と組み合わせ、第二の態様の一つの可能な実施形態では、前記アップリンク制御信号が複数のＡＣＫ／ＮＡＣＫ信号を含み、前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【００６１】
ネットワーク装置が第一の物理リソース領域でＡＣＫ／ＮＡＣＫ信号と基準信号を同時に取得し、そして基準信号によりＡＣＫ／ＮＡＣＫ信号を復調し、ＡＣＫ／ＮＡＣＫ信号の内容を確定することができるように、第一の物理リソース領域にＡＣＫ／ＮＡＣＫ信号と基準信号を伝送するための物理リソースを同時に配置することにより、ＡＣＫ／ＮＡＣＫ信号の伝送及び復調速度を向上させ、それによってデータ伝送の速度を向上させる。
【００６２】
第二の態様又は上記のいずれかの可能な実施形態と組み合わせ、第二の態様の一つの可能な実施形態では、前記端末が前記アップリンク制御信号を伝送するための物理リソースでネットワーク装置へ前記アップリンク制御信号を送信する前に、前記方法はさらに、
前記端末が同じ長さを有する異なる直交又は擬似直交シーケンスを用いて前記複数のＡＣＫ／ＮＡＣＫ信号を拡張し、前記リソースグループにマッピングして重畳させることを含む。
【００６３】
第二の態様又は上記のいずれかの可能な実施形態と組み合わせ、第二の態様の一つの可能な実施形態では、前記アップリンク制御信号がさらにＣＳＩフィードバック信号を含み、前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続しない。
【００６４】
第二の物理リソース伝送領域に基準信号を伝送するための物理リソースを配置することにより、アップリンク信号の伝送の柔軟性を向上させる。
【００６５】
選択可能に、前記アップリンク制御信号がさらにＣＳＩフィードバック信号を含み、前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続し、そして第一の物理リソース領域でＡＣＫ／ＮＡＣＫ信号を伝送する。
【００６６】
第二の物理リソース領域に基準信号を伝送するための物理リソースを配置することにより、第一の物理リソース領域で基準信号のための物理リソースを配置することなく、全体がアップリンク制御信号を伝送することに用いられ、第一の物理リソースでアップリンク制御信号を伝送するカバレッジ率を向上させる。
【００６７】
第二の態様又は上記のいずれかの可能な実施形態と組み合わせ、第二の態様の一つの可能な実施形態では、前記端末が前記アップリンク制御信号を伝送するための物理リソースでネットワーク装置へ前記アップリンク制御信号を送信する前に、前記方法はさらに前記端末が同じ長さを有する異なる直交又は擬似直交シーケンスを用いて前記複数のＡＣＫ／ＮＡＣＫ信号を拡張し、前記複数のＡＣＫ／ＮＡＣＫ信号の伝送回数で異なる位置のリソースグループに繰り返してマッピングし、前記リソースグループが前記複数のＡＣＫ／ＮＡＣＫ信号を伝送するための物理リソースを含むことを含む。
【００６８】
第二の態様又は上記のいずれかの可能な実施形態と組み合わせ、第二の態様の一つの可能な実施形態では、前記アップリンク制御信号が複数のＡＣＫ／ＮＡＣＫ信号を含み、前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【００６９】
ネットワーク装置が第三の物理リソース領域でＡＣＫ／ＮＡＣＫ信号と基準信号を同時に取得し、そして基準信号によりＡＣＫ／ＮＡＣＫ信号を復調し、ＡＣＫ／ＮＡＣＫ信号の内容を確定することができるように、第三の物理リソース領域にＡＣＫ／ＮＡＣＫ信号と基準信号を伝送するための物理リソースを同時に配置することにより、ＡＣＫ／ＮＡＣＫ信号の伝送及び復調速度を向上させ、それによってデータ伝送の速度を向上させる。
【００７０】
第二の態様又は上記のいずれかの可能な実施形態と組み合わせ、第二の態様の一つの可能な実施形態では、前記第三の物理リソース伝送領域において、前記複数のＡＣＫ／ＮＡＣＫ信号は同じ長さを有する異なる直交又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含む。
【００７１】
第二の態様又は上記のいずれかの可能な実施形態と組み合わせ、第二の態様の一つの可能な実施形態では、前記複数のＡＣＫ／ＮＡＣＫ信号はそれぞれ異なる時間領域スケジューリングユニット内のダウンリンクデータブロックに対応し、又は前記複数のＡＣＫ／ＮＡＣＫ信号は同一のダウンリンクデータブロックの異なるコードワードに対応する。
【００７２】
第二の態様又は上記のいずれかの可能な実施形態と組み合わせ、第二の態様の一つの可能な実施形態では、前記端末が時間領域スケジューリングユニット内のアップリンク制御信号を伝送するための物理リソースを確定することは、前記端末が前記ネットワーク装置から送信された指示情報を受信し、前記指示情報が時間領域スケジューリングユニット内のアップリンク制御信号を伝送するための物理リソースを示すことに用いられることを含む。
【００７３】
第二の態様又は上記のいずれかの可能な実施形態と組み合わせ、第二の態様の一つの可能な実施形態では、前記端末が前記ネットワーク装置から送信された指示情報を受信し、前記指示情報が時間領域スケジューリングユニット内のアップリンク制御信号を伝送するための物理リソースを示すことに用いられることは、前記端末が前記ネットワーク装置から送信された指示情報を受信し、前記指示情報が時間領域スケジューリングユニット内のアップリンク制御信号を伝送するための物理リソースの周波数領域リソース配置及び時間領域リソース配置を示すことに用いられることを含む。
【００７４】
第二の態様又は上記のいずれかの可能な実施形態と組み合わせ、第二の態様の一つの可能な実施形態では、前記指示情報はさらに前記端末が前記時間領域スケジューリングユニット内でアップリンクデータを伝送するための物理リソースを示すことに用いられる。
【００７５】
第二の態様又は上記のいずれかの可能な実施形態と組み合わせ、第二の態様の一つの可能な実施形態では、前記端末が前記ネットワーク装置から送信された指示情報を受信することは、前記端末が前記ネットワーク装置から送信された上位層シグナリング又は物理層シグナリングを受信し、前記上位層シグナリング又は前記物理層シグナリングに前記指示情報が含まれることを含む。
【００７６】
第二の態様又は上記のいずれかの可能な実施形態と組み合わせ、第二の態様の一つの可能な実施形態では、前記方法はさらに前記端末が前記ネットワーク装置からの指示に応じて、前記アップリンク制御信号を伝送するために必要な伝送回数及び／又は前記アップリンク制御信号の拡張シーケンス長を確定することを含み、前記端末が前記アップリンク制御信号を伝送するための物理リソースでネットワーク装置へ前記アップリンク制御信号を送信することは、さらに前記端末が前記アップリンク制御信号を伝送するために必要な伝送回数及び／又は前記アップリンク制御信号の拡張シーケンス長で、前記アップリンク制御信号を伝送するための物理リソースでネットワーク装置へ前記アップリンク制御信号を送信することを含む。
【００７７】
ネットワーク装置が、前記アップリンク制御信号を伝送するために必要な伝送回数及び／又は前記アップリンク制御信号の拡張シーケンス長を前記端末に指示することにより、該アップリンク制御信号伝送のカバレッジ率を向上させる。
【００７８】
第二の態様又は上記のいずれかの可能な実施形態と組み合わせ、第二の態様の一つの可能な実施形態では、前記端末が前記ネットワーク装置からの指示に応じて、前記アップリンク制御信号を伝送するために必要な伝送回数及び／又は前記アップリンク制御信号の拡張シーケンス長を確定することは、前記端末が前記ネットワーク装置から送信された前記アップリンク制御信号のシーケンス長を受信することと、前記端末が前記ネットワーク装置から送信された、前記アップリンク制御信号を伝送するための物理リソース数を受信し、前記端末が前記アップリンク制御信号のシーケンス長と前記アップリンク制御信号を伝送するための物理リソース数に基づき、前記アップリンク制御信号を伝送するために必要な回数を確定することとを含む。
【００７９】
第二の態様又は上記のいずれかの可能な実施形態と組み合わせ、第二の態様の一つの可能な実施形態では、前記端末が前記ネットワーク装置からの指示に応じて、前記アップリンク制御信号を伝送するために必要な伝送回数及び／又は前記アップリンク制御信号の拡張シーケンス長を確定することは、前記端末が前記ネットワーク装置から送信されたダウンリンク制御情報（ＤＣＩ）を受信し、前記ＤＣＩに前記アップリンク制御信号を伝送するために必要な伝送回数及び／又は前記アップリンク制御信号の拡張シーケンス長が含まれることを含む。
【００８０】
第二の態様又は上記のいずれかの可能な実施形態と組み合わせ、第二の態様の一つの可能な実施形態では、前記端末が前記ネットワーク装置からの指示に応じて、前記アップリンク制御信号を伝送するために必要な伝送回数及び／又は前記アップリンク制御信号の拡張シーケンス長を確定することは、前記端末が前記ネットワーク装置から送信された上位層シグナリングを受信し、前記上位層シグナリングに前記第一のタイプのアップリンク制御信号を伝送するために必要な伝送回数及び／又は前記第一のタイプのアップリンク制御信号の拡張シーケンス長が含まれることを含む。
【００８１】
第三の態様によるアップリンク信号を伝送する装置は、第一の態様における方法を実行するためのモジュールを備える。
【００８２】
第四の態様によるアップリンク信号を伝送する装置は、第一の態様における方法を実行するためのモジュールを備える。
【００８３】
第五の態様によるアップリンク信号を伝送する装置は、メモリ、プロセッサ、入力／出力インタフェース、通信インタフェースとバスシステムを備える。ここで、メモリ、プロセッサ、入力／出力インタフェースと通信インタフェースがバスシステムを介して接続し、該メモリが命令を記憶するように構成され、該プロセッサが該メモリに記憶された命令を実行するように構成され、前記命令が実行される場合、前記プロセッサが前記通信インタフェースによって第一の態様の方法を実行し、そして入力されたデータ及び情報を受信し、操作結果などのデータを出力するように入力／出力インタフェースを制御する。
【００８４】
第六の態様によるアップリンク信号を伝送する装置は、メモリ、プロセッサ、入力／出力インタフェース、通信インタフェースとバスシステムを備える。ここで、メモリ、プロセッサ、入力／出力インタフェースと通信インタフェースがバスシステムを介して接続し、該メモリが命令を記憶するように構成され、該プロセッサが該メモリに記憶された命令を実行するように構成され、前記命令が実行される場合、前記プロセッサが前記通信インタフェースによって第二の態様の方法を実行し、そして入力されたデータ及び情報を受信し、操作結果などのデータを出力するように入力／出力インタフェースを制御する。
【００８５】
第七の態様によるコンピュータ可読記憶媒体は、アップリンク信号の伝送方法のプログラムコードを記憶することに用いられ、前記プログラムコードが第一の態様における方法のための命令を実行することに用いられる。
【００８６】
第八の態様によるコンピュータ可読記憶媒体は、アップリンク信号の伝送方法のプログラムコードを記憶することに用いられ、前記プログラムコードが第二の態様における方法のための命令を実行することに用いられる。
【図面の簡単な説明】
【００８７】
【図１】本発明の実施例に応用される無線通信システム１００を示す図である。
【図２】本発明の実施例によるアップリンク信号の伝送方法を示す概略フローチャートである。
【図３】本発明の実施例によるアップリンク信号を伝送するための物理リソースの配置を示す図である。
【図４】本発明の別の実施例によるアップリンク信号を伝送するための物理リソースの配置を示す図である。
【図５】本発明の別の実施例によるアップリンク信号を伝送するための物理リソースの配置を示す図である。
【図６】本発明の別の実施例によるアップリンク信号を伝送するための物理リソースの配置を示す図である。
【図７】本発明の別の実施例によるアップリンク信号を伝送するための物理リソースの配置を示す図である。
【図８】本発明の別の実施例によるアップリンク信号を伝送するための物理リソースの配置を示す図である。
【図９】本発明の別の実施例によるアップリンク信号を伝送するための物理リソースの配置を示す図である。
【図１０】本発明の別の実施例によるアップリンク信号の伝送方法を示す図である。
【図１１】本発明の別の実施例によるアップリンク信号の伝送方法を示す概略フローチャートである。
【図１２】本発明の実施例による信号を伝送するための装置を示す概略ブロック図である。
【図１３】本発明の別の実施例によるアップリンク制御信号の伝送装置を示す概略ブロック図である。
【図１４】本発明の別の実施例によるアップリンク信号を伝送する装置を示す概略ブロック図である。
【図１５】本発明の別の実施例によるアップリンク信号を伝送する装置を示す概略ブロック図である。
【発明を実施するための形態】
【００８８】
以下に図面を組み合わせながら本発明の実施例における技術的解決策を説明する。
【００８９】
図１は本発明の実施例に応用される無線通信システム１００を示す図である。該無線通信システム１００はネットワーク装置１１０を備えることができる。ネットワーク装置１００は端末装置と通信する装置であってもよい。ネットワーク装置１００は特定の地理的エリアに対して通信カバレッジを提供することができ、そして該カバレッジに位置する端末装置（例えばＵＥ）と通信を行うことができる。
【００９０】
図１に一つのネットワーク装置と２つの端末が例示的に示され、選択可能に、該無線通信システム１００は複数のネットワーク装置を備えることができ且つ各ネットワーク装置のカバレッジで他の数の端末を備えることができ、本発明の実施例はこれに限定されない。
【００９１】
選択可能に、該無線通信システム１００はさらにネットワークコントローラ、移動管理エンティティなどの他のネットワークエンティティを備えることができ、本出願の実施例はこれに限定されない。
【００９２】
理解すべきものとして、本発明の実施例における技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、高度な長期進化型（ＬＴＥ−Ａ：Ａｄｖａｎｃｅｄ  ｌｏｎｇ  ｔｅｒｍ  ｅｖｏｌｕｔｉｏｎ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＮＲ（Ｎｅｗ  Ｒａｄｉｏ  Ａｃｃｅｓｓ  Ｔｅｃｈｎｏｌｏｇｙ）、５Ｇなどに応用されてもよい。
【００９３】
また、理解すべきものとして、本発明の実施例では、端末装置は移動局（ＭＳ：Ｍｏｂｉｌｅ  Ｓｔａｔｉｏｎ）、移動端末（Ｍｏｂｉｌｅ  Ｔｅｒｍｉｎａｌ）、移動電話（Ｍｏｂｉｌｅ  Ｔｅｌｅｐｈｏｎｅ）、ユーザ装置（ＵＥ：Ｕｓｅｒ  Ｅｑｕｉｐｍｅｎｔ）、手機（ｈａｎｄｓｅｔ）及びポータブル機器（ｐｏｒｔａｂｌｅ  ｅｑｕｉｐｍｅｎｔ）などを含むことができるがこれらに限定されず、該端末装置は無線アクセスネットワーク（ＲＡＮ：Ｒａｄｉｏ  Ａｃｃｅｓｓ  Ｎｅｔｗｏｒｋ）を介して一つ又は複数のコアネットワークと通信を行うことができ、例えば、端末装置は移動電話（又は「セルラー」電話）、無線通信機能を備えたコンピュータであってもよく、端末装置はさらにポータブル型、ポケット型、ハンドヘルド型、コンピュータ内蔵型又は車載移動端末であってもよい。
【００９４】
本発明の実施例では、ネットワーク装置はアクセスネットワーク装置であってもよく、例えば基地局、送信及び受信ポイント（ＴＲＰ：Ｔｒａｎｓｍｉｔ  ａｎｄ  Ｒｅｃｅｉｖｅ  Ｐｏｉｎｔ）又はアクセスポイントであってもよく、基地局はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡにおける基地局（ＮｏｄｅＢ）であってもよいし、ＬＴＥにおける進化型基地局（ｅＮＢ又はｅ−ＮｏｄｅＢ：ｅｖｏｌｖｅｄ  Ｎｏｄｅ  Ｂ）であってもいし、ＮＲ又は５Ｇの基地局（ｇＮＢ）であってもよく、本発明の実施例はこれに具体的に限定されない。
【００９５】
将来の５Ｇ通信システムでは様々なサービス、例えばエンハンストモバイルブロードバンド（ｅＭＢＢ：Ｅｎｈａｎｃｅｄ  Ｍｏｂｉｌｅ  Ｂｒｏａｄｂａｎｄ）と超高信頼性低遅延（ＵＲＬＬＣ：Ｕｌｔｒａ  Ｒｅｌｉａｂｌｅ  Ｌｏｗ  Ｌａｔｅｎｃｙ）などが存在する。アップリンク信号の伝送に対する異なるサービスの要求が異なり、例えば、あるサービスは、端末がネットワーク装置から送信されたダウンリンクデータの受信が成功したか否かを速くフィードバックすることを要求し、ダウンリンクデータ全体の伝送遅延を減らし、あるサービスは、アップリンク信号を伝送する時に大容量フィードバックをサポートでき、例えば、一つの物理リソースブロック（ＰＲＢ：Ｐｈｙｓｉｃａｌ  Ｒｅｓｏｕｒｃｅ  Ｂｌｏｃｋ）によって様々なタイプのアップリンク制御信号を伝送することを要求する。
【００９６】
アップリンク信号の伝送に対する異なるサービスのニーズを満たすために、５Ｇシステムでアップリンク伝送を行う時に、サイクリックプレフィックス−直交周波数分割多重（ＣＰ‐ＯＦＤＭ）波形とＤＦＴ‐Ｓ‐ＦＤＭＡ波形を用いることができる。即ち、５Ｇシステムにおけるアップリンク伝送では、単一搬送波伝送方式とマルチ搬送波伝送方式を同時にサポートし、アップリンク伝送に対する５Ｇシステムにおける異なるサービスの伝送ニーズを満たすことができる。
【００９７】
以下に図２を組み合わせてアップリンク信号の伝送方法を詳細に説明する。
【００９８】
図２は本発明の実施例によるアップリンク信号の伝送方法を示す概略フローチャートである。図２に示す方法は、２１０と２２０を含む。
【００９９】
２１０において、ネットワーク装置は時間領域スケジューリングユニット内のアップリンク制御信号を伝送するための物理リソースを確定する。
【０１００】
具体的には、上記時間領域スケジューリングユニットは一つのアップリンクスケジューリング周期を指すことができ、一つのタイムスロットを指すことができ、該時間領域スケジューリングユニットは通常のＣＰの場合で、７つのＯＦＤＭシンボルを含むことができ、該時間領域スケジューリングユニットは拡張されたＣＰの場合で、６つのＯＦＤＭシンボルを含むことができる。
【０１０１】
上記アップリンク制御信号は異なるタイプのアップリンク制御信号、例えばＡＣＫ／ＮＡＣＫ信号とＣＳＩフィードバック信号などを含むことができる。
【０１０２】
上記物理リソースはリソースエレメント（ＲＥ：Ｒｅｓｏｕｒｃｅ  Ｅｌｅｍｅｎｔ）を指すことができる。
【０１０３】
上記アップリンク制御信号がＣＰ−ＯＦＤＭ波形を用いて伝送されることは、アップリンク制御信号をＣＰ−ＯＦＤＭ波形で変調し、対応する物理リソースにマッピングすることを指すことができる。
【０１０４】
選択可能に、一つの実施例として、前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられる。
【０１０５】
具体的には、アップリンク制御信号は様々なタイプのアップリンク制御信号を含むことができる。
【０１０６】
理解すべきものとして、上記物理リソース領域は複数のリソースブロックを含むことができ、該リソースブロックが周波数領域において連続してもよく、上記物理リソース領域は一つのリソースブロックにおける物理リソース領域であってもよく、即ち、一つのリソースブロックは少なくとも一つの物理リソース領域を含むことができる。
【０１０７】
選択可能に、上記少なくとも一つの物理リソース領域の各物理リソース領域は周波数領域において少なくとも一つの周波数領域リソースブロックで構成される。
【０１０８】
選択可能に、前記アップリンク制御信号が異なるタイプのアップリンク制御信号を含み、アップリンク制御信号を伝送するための物理リソースが一つのリソースブロックを指すことができ、前記リソースブロックが少なくとも一つの物理リソース領域を含み、異なる物理リソース領域が異なるタイプのアップリンク制御信号を伝送することに用いられる。
【０１０９】
具体的には、上記リソースブロックはアップリンク信号伝送のための最小スケジューリング単位として用いられてもよい。
【０１１０】
上記の複数の物理リソース領域における各物理リソース領域は複数の周波数領域における連続するリソースエレメント（ＲＥ：Ｒｅｓｏｕｒｃｅ  Ｅｌｅｍｅｎｔ）と複数のＯＦＤＭシンボルを含むことができる。
【０１１１】
選択可能に、一つの実施例として、前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルである。
【０１１２】
例えば、時間領域における上記第一の物理リソース領域の１番目の直交周波数分割多重（ＯＦＤＭ）シンボルがＰＲＢの１番目のＯＦＤＭシンボル、即ち開始ＯＦＤＭシンボルを指すことができる。
【０１１３】
選択可能に、前記少なくとも一つの物理リソース領域はさらに第二の物理リソース領域を含み、前記第二の物理リソース領域と前記第一の物理リソース領域が時間領域において連続する。
【０１１４】
選択可能に、該第一の物理リソース領域がＡＣＫ／ＮＡＣＫ信号を伝送することに用いられ、該第二の物理リソース領域がＣＳＩフィードバック信号を伝送することに用いられる。
【０１１５】
選択可能に、該第一の物理リソース領域がさらに基準信号を伝送することに用いられてもよく、即ち該第一の物理リソース領域がＡＣＫ／ＮＡＣＫ信号と基準信号を同時に伝送することができ、該基準信号がＡＣＫ／ＮＡＣＫ信号を復調することに用いられる。
【０１１６】
理解すべきものとして、上記ＡＣＫ／ＮＡＣＫ信号に対応するＡＣＫ／ＮＡＣＫフィードバックモードはＡＣＫ／ＮＡＣＫ組み合わせモードとＡＣＫ／ＮＡＣＫ多重化モードを含むことができ、本発明はこれに具体的に限定されない。
【０１１７】
説明すべきものとして、第一の物理領域リソースでアップリンク制御信号を伝送する場合、第二の物理リソース領域はさらにアップリンクデータを伝送することに用いられてもよく、第一の物理領域リソース領域でアップリンク制御信号を伝送する場合、第二の物理リソース領域でアップリンク制御信号を伝送することもでき、ここで、第一の物理リソース領域で伝送されるアップリンク制御信号と第二の物理リソース領域で伝送されるアップリンク制御信号が異なるタイプに属してもよい。
【０１１８】
具体的には、図３は本発明の実施例によるアップリンク信号を伝送するための物理リソースの配置を示す図である。理解すべきものとして、図３は第一の物理リソース領域が２つのＯＦＤＭシンボルの物理リソースを含むことのみを例として説明し、本発明の実施例では第一の物理リソース領域に含まれるＯＦＤＭシンボルの数が具体的に限定されない。図３から分かるように、該時間領域スケジューリングユニット内の物理リソース（例えば一つのＰＲＢ）は第一の物理リソース領域を含み、該第一の物理リソース領域における１番目のＯＦＤＭシンボル（即ち時間領域における１番目のＯＦＤＭシンボル）が時間領域スケジューリングユニット内の開始ＯＦＤＭシンボル（即ち時間領域における１番目のＯＦＤＭシンボル）であってもよい。
【０１１９】
選択可能に、一つの実施例として、前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルである。
【０１２０】
理解すべきものとして、図４は本発明の別の実施例によるアップリンク信号を伝送するための物理リソースの配置を示す図である。図４は第三の物理リソース領域が１つのＯＦＤＭシンボルの物理リソースを含むことのみを例として説明し、本発明の実施例では第三の物理リソース領域に含まれるＯＦＤＭシンボルの数が具体的に限定されない。上記第三の物理リソース領域における１番目のＯＦＤＭシンボル（即ち開始ＯＦＤＭシンボル）の前のＯＦＤＭシンボルに対応する物理リソースはネットワーク装置と基地局の間のダウリンク伝送に用いられてもよい。即ち、第三の物理リソース領域に対応する１番目のＯＦＤＭシンボルの前に、ダウンリンク伝送とアップリンク伝送の間のハンドオーバを行い、第三の物理リソース領域に対応する１番目のＯＦＤＭシンボルからネットワーク装置と端末装置はアップリンク伝送を行うことができ、上記の物理リソースの配置方式がショートフォーマットアップリンク信号制御モード（ｓｈｏｒｔ  ｆｏｒｍａｔ  ｆｏｒ  ｕｐｌｉｎｋ  ｃｏｎｔｒｏｌ  ｓｉｇｎａｌ）と呼ばれてもよい。
【０１２１】
また、理解すべきものとして、上記第三の伝送領域における１番目のＯＦＤＭシンボルの前の時間周波数リソースはアップリンク伝送のための時間周波数リソースを含むことができ、即ち、第三の伝送領域における１番目のＯＦＤＭシンボルの前の時間周波数リソースに第一の物理リソース及び／又は第二の物理リソースが存在することができるが、上記の時間周波数リソースの配置方式では、第三の物理リソースで伝送されるアップリンク制御信号のモードがショートフォーマットアップリンク信号制御モードに属しない。
【０１２２】
また、理解すべきものとして、第二の物理リソース領域と第三の物理リソース領域は時間領域において連続してもよく、即ち、第二の物理リソース領域における最後のＯＦＤＭシンボルの次のＯＦＤＭシンボルは第三の物理リソース領域における１番目のＯＦＤＭシンボルとして用いられてもよく、第二の物理リソース領域と第三の物理リソースの間に重畳する物理リソース領域が存在してもよく、本発明はこれに具体的に限定されない。
【０１２３】
説明すべきものとして、第一の物理リソース領域、第二の物理リソース領域と第三の物理リソース領域の間に重畳する物理リソース領域が存在してもよく、第一の物理リソース領域、第二の物理リソース領域と第三の物理リソース領域が時間領域において連続してもよく、本発明の実施例では上記物理リソース領域同士の具体的な分割方式が限定されない。
【０１２４】
選択可能に、前記アップリンク制御信号が複数のＡＣＫ／ＮＡＣＫ信号を含み、前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０１２５】
具体的には、上記リソースグループが一つのＯＦＤＭシンボル内の、周波数領域における連続する複数の物理リソース、例えば周波数領域における連続する複数のＲＥを含む。
【０１２６】
選択可能に、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することは、前記複数のＡＣＫ／ＮＡＣＫ信号を伝送するための物理リソースの位置するリソースグループと前記基準信号を伝送するための物理リソースが同一のＯＦＤＭシンボルで交互に配列することを指すことができる。
【０１２７】
選択可能に、前記第三の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含む。
【０１２８】
具体的には、上記の異なる位置のリソースグループは複数のリソースグループに対応する位置が時間領域スケジューリングユニットでの対応する位置と異なることを指すことができる。
【０１２９】
選択可能に、上記の異なる位置のリソースグループは時間領域及び／又は周波数領域において連続してもよい。
【０１３０】
例えば、図５は本発明の別の実施例によるアップリンク信号を伝送するための物理リソース配置を示す図である。図５から分かるように、基準信号を伝送するための物理リソースの位置とＡＣＫ／ＮＡＣＫ信号を伝送するためのリソースグループ（図５の第一のリソースグループと第二のリソースグループを参照）の位置が最後のＯＦＤＭシンボルで交互に配列する。第一のＡＣＫ／ＮＡＣＫ信号と第二のＡＣＫ／ＮＡＣＫ信号が第一のリソースグループにおける連続する物理リソースを占有し、同時に、第一のＡＣＫ／ＮＡＣＫ信号と第二のＡＣＫ／ＮＡＣＫ信号が第二のリソースグループにおける連続する物理リソースを占有する。即ち、第一のＡＣＫ／ＮＡＣＫ信号と第二のＡＣＫ／ＮＡＣＫ信号は時間領域スケジューリングユニット内の物理リソースで２回伝送される。ここで、第一のＡＣＫ／ＮＡＣＫ信号と第二のＡＣＫ／ＮＡＣＫ信号は同じ長さを有する異なる直交シーケンス又は擬似直交シーケンスを用いて拡張されて重畳させてもよい。
【０１３１】
選択可能に、一つの実施例として、前記第二の物理リソース領域と前記第三の物理リソース領域の間に重畳する物理リソース領域が存在する。
【０１３２】
具体的には、上記の重畳する物理リソース領域における物理リソースは第二の物理リソース領域で伝送されるアップリンク信号に配置されてもよいし、第三の物理リソース領域で伝送されるアップリンク信号に配置されてもよい。
【０１３３】
理解すべきものとして、上記の重畳する物理リソース領域は第二の物理リソース領域における一部の物理リソース領域と第三の物理リソース領域における一部の物理リソース領域が重なることを指すことができ、上記の重畳する物理リソース領域はさらに第二の物理リソース領域が第三の物理リソース領域を含むことを指すこともでき、本発明の実施例では第二の物理リソース領域と第三の物理リソース領域における具体的な重畳形態が限定されない。
【０１３４】
選択可能に、上記アップリンク信号はアップリンク制御信号と基準信号等を含む。
【０１３５】
選択可能に、一つの実施例として、前記アップリンク制御信号が第一のタイプのアップリンク制御信号と第二のタイプのアップリンク制御信号を含み、前記方法はさらに前記ネットワーク装置が前記重畳する物理リソース領域において、前記第一のタイプのアップリンク制御信号を伝送するための物理リソースを前記端末に配置することと、前記ネットワーク装置が前記重畳する物理リソース領域において、前記第二のタイプのアップリンク制御信号を伝送するための物理リソースを前記端末に配置し、ここで、前記ネットワーク装置によって前記第一のタイプのアップリンク制御信号に配置された物理リソースの優先度が前記ネットワーク装置によって前記第二のタイプのアップリンク制御信号に配置された物理リソースの優先度より高いこととを含む。
【０１３６】
具体的には、第二の物理リソース領域と第三の物理リソース領域の間に重畳する物理リソース領域が存在し、第二の物理リソース領域が第二のタイプのアップリンク制御信号を伝送することに用いられてもよく、第三の物理リソース領域が第一のタイプのアップリンク制御信号を伝送することに用いられ、ネットワーク装置はまず重畳する物理リソース領域において、まず第一のタイプのアップリンク制御信号を伝送するための物理リソースを端末に配置し、第一のタイプのアップリンク制御信号を伝送するための物理リソース以外の物理リソースにおいて、第二のタイプのアップリンク制御信号を伝送するための物理リソースを端末に配置することができる。
【０１３７】
選択可能に、上記第一のタイプのアップリンク制御信号がＡＣＫ／ＮＡＣＫ信号を含み、上記第二のタイプのアップリンク制御信号がＣＳＩフィードバック信号を含む。
【０１３８】
例えば、図６は本発明の別の実施例によるアップリンク信号を伝送するための物理リソース配置を示す図である。図６に示すアップリンク伝送のためのリソースの配置の概略図から分かるように、第一の物理リソース領域が第一のＯＦＤＭシンボルに対応する物理リソースを含み、第二の物理リソースが第二のＯＦＤＭシンボル〜第五のＯＦＤＭシンボルに対応する物理リソースを含み、第三の物理リソース領域が第四のＯＦＤＭシンボル〜第七のＯＦＤＭシンボルに対応する物理リソースを含み、即ち、第二の物理リソース領域と第三の物理リソース領域の間の重畳する物理リソース領域が第四のＯＦＤＭシンボルに対応する物理リソースと第五のＯＦＤＭシンボルに対応する物理リソースを含む。ここで、第一の物理リソース領域がＡＣＫ／ＮＡＣＫ信号を伝送することに用いられ、第二の物理リソース領域がＣＳＩフィードバック信号を伝送することに用いられ、第三の物理リソース領域がＡＣＫ／ＮＡＣＫ信号を伝送することに用いられる。
【０１３９】
説明すべきものとして、上記第一の物理リソース領域、第二の物理リソース領域と第三の物理リソース領域のうちの一つの物理リソース領域はさらに基準信号を伝送することに用いられてもよく、図５に示すリソース配置概略図が第一の物理リソース領域で基準信号を伝送することのみを例として説明される。
【０１４０】
選択可能に、一つの実施例として、上記第一の物理リソース領域又は第二の物理リソース領域と第三の物理リソース領域の間に重畳する物理リソース領域が存在する場合、即ち、ネットワーク装置は第三の物理リソース領域におけるＡＣＫ／ＮＡＣＫ信号及び／又は基準信号を伝送するための物理リソース領域を第一の物理リソース領域又は第二の物理リソース領域で伝送されるアップリンク制御信号及び／又は基準信号に配置する。この時に、第三の物理リソース領域における物理リソースを占有して伝送されたアップリンク信号及び／又は基準信号は第三の物理リソース領域における元の伝送を必要とするアップリンク制御信号及び／又は基準信号によってパンクチャ（ｐｕｎｃｔｕｒｅｄ）されてもよい。異なる物理リソース領域におけるアップリンク制御信号と基準信号の間のリソースが衝突するという問題を解決する。
【０１４１】
２２０において、前記ネットワーク装置はアップリンク制御信号を伝送するための前記物理リソースで前記アップリンク制御信号を受信し、前記アップリンク制御信号がサイクリックプレフィックス−直交周波数分割多重（ＣＰ−ＯＦＤＭ）波形を用いて伝送される。
【０１４２】
選択可能に、一つの実施例として、前記方法はさらに前記ネットワーク装置が、前記端末が時間領域スケジューリングユニット内で基準信号を伝送するための物理リソースを確定し、基準信号を伝送するための前記物理リソースが前記少なくとも一つの物理リソース領域のうちの一つの物理リソース領域に配置されることを含む。
【０１４３】
選択可能に、上記第三の物理リソース領域はさらに基準信号を伝送することに用いられ、上記第二の物理リソース領域はさらに基準信号を伝送することに用いられてもよい。
【０１４４】
具体的には、上記基準信号はＡＣＫ／ＮＡＣＫ信号を復調することに用いられてもよい。
【０１４５】
選択可能に、上記の重畳する物理リソース領域において第二の物理リソース領域における基準信号を伝送しない。
【０１４６】
説明すべきものとして、基準信号を伝送するための上記物理リソースに対応する物理リソースの位置は固定されてもよい。即ち、第二の物理リソースにおける基準信号を伝送するための物理リソースは固定されてもよく、第三の物理リソースにおける基準信号を伝送するための上記物理リソースも固定されてもよい。重畳する物理リソース領域において、第二の伝送物理リソース領域における伝送されたアップリンク信号に配置された物理リソースの優先度が第三の伝送物理リソース領域における伝送されたアップリンク信号に配置された物理リソースの優先度より低く、したがって、重畳する物理リソース領域において、基準信号を伝送するための元の物理リソースが第三の物理リソース領域におけるアップリンク制御信号を伝送することに用いられるため、ネットワーク装置が基準信号に基づいて第一の伝送領域におけるＡＣＫ／ＮＡＣＫ信号を復調することができないことを回避するために、（この場合、第一の物理リソース領域に基準信号を伝送するための物理リソースを配置しなくてもよい）、第二の物理リソース領域における伝送された基準信号に物理リソースを配置する時に、重畳する物理リソース領域に基準信号を伝送するための物理リソースを配置しなくてもよい。
【０１４７】
例えば、図６に示すアップリンク伝送のためのリソースの配置の概略図では、第二の物理リソース領域と第三の物理リソース領域の間の重畳するリソース領域において、即ち第四のＯＦＤＭシンボルに対応する物理リソースと第五のＯＦＤＭシンボルに対応する物理リソースで基準信号を伝送しない。
【０１４８】
選択可能に、前記基準信号を伝送するための物理リソース領域は周波数領域又は時間領域において離散的であり、又は前記基準信号を伝送するための物理リソースは周波数領域及び／又は時間領域において連続的である。
【０１４９】
具体的には、図６に示す第一の物理リソース領域における基準信号を伝送するための物理リソースの配列を参照し、一つのＯＦＤＭシンボルで、前記基準信号を伝送するための物理リソースの位置するリソースグループが周波数領域において離散的である。
【０１５０】
図７に示す第二の物理リソース領域における基準信号を伝送するための物理リソースの配列を参照し、基準信号を伝送するための物理リソースの存在するリソースグループが複数のリソースグループを含み、且つ基準信号を伝送するための物理リソースの位置するリソースグループが周波数領域において離散的であり（複数のリソースグループが異なる周波数に対応することを指すことができる）、ここで、基準信号を伝送するための各リソースグループが２つの連続するＯＦＤＭシンボルを占有する。
【０１５１】
図８に示す第二の物理リソース領域における基準信号を伝送するための物理リソースの配列を参照し、基準信号を伝送するための物理リソースの位置するリソースグループが複数のリソースグループを含み、且つ複数のリソースグループにおける各リソースグループが２つの異なるＯＦＤＭシンボルを占有し、その中の一つのＯＦＤＭシンボルで、前記基準信号を伝送するための物理リソースの位置するリソースグループが周波数領域において離散的である。
【０１５２】
説明すべきものとして、本発明の実施例は基準信号を伝送するためのリソースグループが２つの物理リソースを含むことのみを例として説明されるが、基準信号を伝送するためのリソースグループはさらに４つの物理リソースを含むことができ、本発明の実施例では基準信号を伝送するリソースグループに含まれる物理リソースの数が具体的に限定されない。
【０１５３】
選択可能に、一つの実施例として、前記アップリンク制御信号が複数のＡＣＫ／ＮＡＣＫ信号を含み、前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０１５４】
具体的には、上記リソースグループは周波数領域における連続する一つのグループの物理リソースを含むことができ、即ち、一つのＯＦＤＭシンボルに複数のリソースグループが含まれてもよい。
【０１５５】
選択可能に、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することは、前記複数のＡＣＫ／ＮＡＣＫ信号を伝送するための物理リソースの位置するリソースグループと前記基準信号を伝送するための物理リソースが同一のＯＦＤＭシンボルで交互に配列することを指すことができる。
【０１５６】
複数のＡＣＫ／ＮＡＣＫ信号を伝送するための上記の少なくとも一部の物理リソースの位置するリソースグループは複数のＡＣＫ／ＮＡＣＫ信号を伝送するための全ての物理リソースが一つのリソースグループに位置することを指すことができ、複数のＡＣＫ／ＮＡＣＫ信号を伝送するための上記の少なくとも一部の物理リソースの位置するリソースグループはさらに複数のＡＣＫ／ＮＡＣＫ信号の一部の物理リソースが一つのリソースグループに位置し、複数のＡＣＫ／ＮＡＣＫ信号を伝送するための残りの一部の物理リソースが他のリソースグループに位置することを指すことができる。
【０１５７】
選択可能に、複数のＡＣＫ／ＮＡＣＫ信号を伝送するための物理リソースが複数のリソースグループに位置する場合、上記の複数のリソースグループが周波数領域において連続的又は離散的である。
【０１５８】
例えば、図９は本発明の別の実施例によるアップリンク信号を伝送するための物理リソースの配置を示す図である。図９に示すリソース配置方式では、ＡＣＫ／ＮＡＣＫ信号が拡張された後、該ＡＣＫ／ＮＡＣＫ信号を伝送するために８つの物理リソース（例えばＲＥ）を占有する必要があり、しかし、基準信号を伝送するための２つの物理リソースの間のリソースグループにおいて４つだけの物理リソースがあり、該拡張されたＡＣＫ／ＮＡＣＫ信号に２つのリソースグループを配置することができ、合計の８つの物理リソースがあり、該２つのリソースグループが周波数領域において連続しないが、各リソースグループにおける物理リソースが周波数領域において連続する。
【０１５９】
理解すべきものとして、上記リソースグループにおける物理リソースは拡張されたＡＣＫ／ＮＡＣＫ信号を伝送する。
【０１６０】
選択可能に、前記複数のＡＣＫ／ＮＡＣＫ信号のための物理リソースの位置するリソースグループにおける物理リソースが周波数領域において連続する。
【０１６１】
選択可能に、一つの実施例として、前記複数のＡＣＫ／ＮＡＣＫ信号はそれぞれ同じ長さを有する異なる直交シーケンス又は擬似直交シーケンスを用いて拡張された後、リソースグループに重畳してマッピングされる。
【０１６２】
例えば、第一のグループのＡＣＫ／ＮＡＣＫ信号が第一の直交シーケンスによって拡張された後、第二のグループのＡＣＫ／ＮＡＣＫ信号が第二の直交シーケンスによって拡張された後、第一のグループのＡＣＫ／ＮＡＣＫ信号と第二のグループのＡＣＫ／ＮＡＣＫ信号が同じ長さを有することができ、例えば、該第一のグループのＡＣＫ／ＮＡＣＫ信号と第二のグループのＡＣＫ／ＮＡＣＫ信号が４つのＲＥを占有することができ、該第一のグループのＡＣＫ／ＮＡＣＫ信号と第二のグループのＡＣＫ／ＮＡＣＫ信号が同じリソースグループにマッピングされてもよく、該リソースグループが４つのＲＥを含むことができる。
【０１６３】
選択可能に、一つの実施例として、前記アップリンク制御信号がさらにＣＳＩフィードバック信号を含み、前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続する。
【０１６４】
例えば、基準信号を伝送するためのリソースグループが第一のＲＥと第二のＲＥという２つのＲＥを含み、ここで第一のＲＥが第一のＯＦＤＭシンボルを占有するＲＥであってもよく、第二のＲＥが第二のＯＦＤＭシンボルを占有するＲＥであってもよく、第一のＯＦＤＭシンボルと第二のＯＦＤＭシンボルが時間領域において連続し、そして第一のＲＥと第二のＲＥが同じサブ搬送波に対応する。
【０１６５】
選択可能に、一つの実施例として、前記第一の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされる。
【０１６６】
具体的には、上記リソースグループは前記複数のＡＣＫ／ＮＡＣＫ信号を伝送するための物理リソースを含む。
【０１６７】
例えば、第一のグループのＡＣＫ／ＮＡＣＫ信号が第一の直交シーケンスによって拡張された後、第二のグループのＡＣＫ／ＮＡＣＫ信号が第二の直交シーケンスによって拡張された後、第一のグループのＡＣＫ／ＮＡＣＫ信号と第二のグループのＡＣＫ／ＮＡＣＫ信号が同じ長さを有することができ、例えば、該第一のグループのＡＣＫ／ＮＡＣＫ信号と第二のグループのＡＣＫ／ＮＡＣＫ信号が４つのＲＥを占有することができ、該第一のグループのＡＣＫ／ＮＡＣＫ信号と第二のグループのＡＣＫ／ＮＡＣＫ信号がそれぞれ異なるリソースグループにマッピングされてもよく、各リソースグループが４つのＲＥを含むことができる。
【０１６８】
選択可能に、一つの実施例として、前記複数のＡＣＫ／ＮＡＣＫ信号はそれぞれ異なる時間領域スケジューリングユニット内のダウンリンクデータブロックに対応し、又は前記複数のＡＣＫ／ＮＡＣＫ信号は同一のダウンリンクデータブロックの異なるコードワードに対応する。
【０１６９】
サブフレームを例として図１０を組み合わせながらアップリンク信号の伝送方法を説明する。図９は本発明の別の実施例によるアップリンク信号の伝送方法を示す図である。図１０に示すアップリンク伝送方法から分かるように、アップリンクサブフレームにダウンリンク伝送のためのサブフレーム＃０、サブフレーム＃１とサブフレーム＃ｋのＡＣＫ／ＮＡＣＫ信号が含まれ、ここで、サブフレーム＃０とサブフレーム＃１のＡＣＫ／ＮＡＣＫ信号をアップリンクサブフレームの第一のリソースグループにおける物理リソースにマッピングし、該第一のリソースグループにおける物理リソースがＡＣＫ／ＮＡＣＫ信号に占有された後、サブフレーム＃ｋのＡＣＫ／ＮＡＣＫ信号をアップリンク伝送のためのサブフレームに対応する第二のリソースグループにおける物理リソースにマッピングすることができる。
【０１７０】
選択可能に、一つの実施例として、前記ネットワーク装置がアップリンク制御信号を伝送するための前記物理リソースでアップリンク制御信号を受信する前に、前記方法はさらに前記ネットワーク装置が前記端末へ指示情報を送信し、前記指示情報が時間領域スケジューリングユニット内のアップリンク制御信号を伝送するための物理リソースを示すことに用いられることを含む。
【０１７１】
選択可能に、一つの実施例として、前記方法はさらに前記ネットワーク装置が前記アップリンク制御信号を伝送するために必要な伝送回数及び／又は前記アップリンク制御信号の拡張シーケンス長を確定することと、前記ネットワーク装置が、前記アップリンク制御信号を伝送するために必要な伝送回数及び／又は前記アップリンク制御信号の拡張シーケンス長を前記端末に指示することとを含む。
【０１７２】
具体的には、伝送回数は端末が該アップリンク制御信号を伝送するために必要な繰り返し回数を指すことができる。
【０１７３】
選択可能に、前記ネットワーク装置が、前記アップリンク制御信号を伝送するために必要な伝送回数及び／又は前記アップリンク制御信号の拡張シーケンス長を前記端末に指示することは、前記ネットワーク装置が前記端末へダウンリンク制御情報（ＤＣＩ）を送信し、前記ＤＣＩに前記アップリンク制御信号を伝送するために必要な伝送回数及び／又は前記アップリンク制御信号の拡張シーケンス長が含まれることを含む。
【０１７４】
選択可能に、前記ネットワーク装置が、前記アップリンク制御信号を伝送するために必要な伝送回数及び／又は前記アップリンク制御信号の拡張シーケンス長を前記端末に指示することは、前記ネットワーク装置が前記端末へ前記アップリンク制御信号のシーケンス長を送信することと、前記ネットワーク装置が前記アップリンク制御信号を伝送するための物理リソース数を前記端末に送信することとを含む。
【０１７５】
具体的には、ネットワーク装置はアップリンク制御信号を送信するためのシーケンス長及び端末がアップリンク制御信号を伝送するための物理リソース数を端末に指示し、端末がアップリンク制御信号を送信するためのシーケンス長及び端末がアップリンク制御信号を伝送するための物理リソース数に基づき、アップリンク制御信号を伝送するための伝送回数（繰り返し回数）を確定するようにする。
【０１７６】
例えば、端末がアップリンク制御信号を送信するためのシーケンス長が４であることを確定し、そしてネットワーク装置が該アップリンク制御信号を伝送するための８つのＲＥを端末に配置し、端末は該アップリンク制御信号を伝送するための伝送回数が２であることを確定することができる。
【０１７７】
選択可能に、前記ネットワーク装置が、前記アップリンク制御信号を伝送するために必要な伝送回数及び／又は前記アップリンク制御信号の拡張シーケンス長を前記端末に指示することは、前記ネットワーク装置が前記端末へ上位層シグナリングを送信し、前記上位層シグナリングに前記第一のタイプのアップリンク制御信号を伝送するために必要な伝送回数及び／又は前記第一のタイプのアップリンク制御信号の拡張シーケンス長が含まれることを含む。
【０１７８】
図１１は本発明の別の実施例によるアップリンク信号の伝送方法を示す概略フローチャートである。理解すべきものとして、図１１に示す方法が図２に示す方法に対応し、簡潔にするために、具体的な詳細について説明しない。図１１に示す方法は、１１１０と１１２０を含む。
【０１７９】
１１１０において、端末は時間領域スケジューリングユニット内のアップリンク制御信号を伝送するための物理リソースを確定する。
【０１８０】
具体的には、上記端末が時間領域スケジューリングユニット内のアップリンク制御信号を伝送するための物理リソースを確定することは、端末装置がネットワーク装置から端末に送信された、アップリンク制御信号を伝送するための物理リソースを示すための指示情報に基づき、アップリンク制御信号を伝送するための物理リソースを確定することを含むことができ、さらに端末が予め定められたアップリンク制御信号のための物理リソースマッピングルールに応じて、アップリンク制御信号を伝送するための物理リソースを確定することを指すことができる。
【０１８１】
１１２０において、前記端末は前記アップリンク制御信号を伝送するための物理リソースでネットワーク装置へ前記アップリンク制御信号を送信し、前記アップリンク制御信号がサイクリックプレフィックス−直交周波数分割多重（ＣＰ−ＯＦＤＭ）波形を用いて伝送される。
【０１８２】
選択可能に、一つの実施例として、前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられる。
【０１８３】
選択可能に、一つの実施例として、前記少なくとも一つの物理リソース領域の各物理リソース領域は周波数領域において少なくとも一つの周波数領域リソースブロックで構成される。
【０１８４】
選択可能に、一つの実施例として、前記アップリンク制御信号が異なるタイプのアップリンク制御信号を含み、前記アップリンク制御信号を伝送するための物理リソースが一つのリソースブロックであり、前記リソースブロックが少なくとも一つの物理リソース領域を含み、異なる物理リソース領域が異なるタイプのアップリンク制御信号を伝送することに用いられる。
【０１８５】
選択可能に、一つの実施例として、前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルである。
【０１８６】
選択可能に、一つの実施例として、前記少なくとも一つの物理リソース領域はさらに第二の物理リソース領域を含み、前記第二の物理リソース領域と前記第一の物理リソース領域が時間領域において連続する。
【０１８７】
選択可能に、一つの実施例として、前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルである。
【０１８８】
選択可能に、一つの実施例として、前記少なくとも一つの物理リソース領域のうちの一つの物理リソース領域に、前記基準信号を伝送するための物理リソースが配置される。
【０１８９】
選択可能に、一つの実施例として、前記基準信号を伝送するための物理リソース領域は周波数領域又は時間領域において離散的であり、又は前記基準信号を伝送するための物理リソースは周波数領域及び／又は時間領域において連続的である。
【０１９０】
選択可能に、一つの実施例として、前記アップリンク制御信号が複数のＡＣＫ／ＮＡＣＫ信号を含み、前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０１９１】
選択可能に、一つの実施例として、前記端末が前記アップリンク制御信号を伝送するための物理リソースでネットワーク装置へ前記アップリンク制御信号を送信する前に、前記方法はさらに前記端末が同じ長さを有する異なる直交又は擬似直交シーケンスを用いて前記複数のＡＣＫ／ＮＡＣＫ信号を拡張し、前記リソースグループにマッピングして重畳させることを含む。
【０１９２】
選択可能に、一つの実施例として、前記アップリンク制御信号がさらにＣＳＩフィードバック信号を含み、前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続する。
【０１９３】
選択可能に、一つの実施例として、前記端末が前記アップリンク制御信号を伝送するための物理リソースでネットワーク装置へ前記アップリンク制御信号を送信する前に、前記方法はさらに前記端末が同じ長さを有する異なる直交又は擬似直交シーケンスを用いて前記複数のＡＣＫ／ＮＡＣＫ信号を拡張し、前記複数のＡＣＫ／ＮＡＣＫ信号の伝送回数で異なる位置のリソースグループに繰り返してマッピングし、前記リソースグループが前記複数のＡＣＫ／ＮＡＣＫ信号を伝送するための物理リソースを含むことを含む。
【０１９４】
選択可能に、一つの実施例として、前記アップリンク制御信号が複数のＡＣＫ／ＮＡＣＫ信号を含み、前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０１９５】
選択可能に、一つの実施例として、前記第三の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含む。
【０１９６】
選択可能に、一つの実施例として、前記複数のＡＣＫ／ＮＡＣＫ信号はそれぞれ異なる時間領域スケジューリングユニット内のダウンリンクデータブロックに対応し、又は前記複数のＡＣＫ／ＮＡＣＫ信号は同一のダウンリンクデータブロックの異なるコードワードに対応する。
【０１９７】
選択可能に、一つの実施例として、前記端末が時間領域スケジューリングユニット内のアップリンク制御信号を伝送するための物理リソースを確定することは、前記端末が前記ネットワーク装置から送信された指示情報を受信し、前記指示情報が時間領域スケジューリングユニット内のアップリンク制御信号を伝送するための物理リソースを示すことに用いられることを含む。
【０１９８】
選択可能に、一つの実施例として、前記指示情報はさらに前記端末が前記時間領域スケジューリングユニット内でアップリンクデータを伝送するための物理リソースを示すことに用いられる。
【０１９９】
選択可能に、一つの実施例として、前記端末が前記ネットワーク装置から送信された指示情報を受信することは、前記端末が前記ネットワーク装置から送信された上位層シグナリング又は物理層シグナリングを受信し、前記上位層シグナリング又は前記物理層シグナリングに前記指示情報が含まれることを含む。
【０２００】
選択可能に、一つの実施例として、前記方法はさらに前記端末が前記ネットワーク装置からの指示に応じて、前記アップリンク制御信号を伝送するために必要な伝送回数及び／又は前記アップリンク制御信号の拡張シーケンス長を確定することを含み、前記端末が前記アップリンク制御信号を伝送するための物理リソースでネットワーク装置へ前記アップリンク制御信号を送信することは、さらに前記端末が前記アップリンク制御信号を伝送するために必要な伝送回数及び／又は前記アップリンク制御信号の拡張シーケンス長で、前記アップリンク制御信号を伝送するための物理リソースでネットワーク装置へ前記アップリンク制御信号を送信することを含む。
【０２０１】
選択可能に、一つの実施例として、前記端末が前記ネットワーク装置からの指示に応じて、前記アップリンク制御信号を伝送するために必要な伝送回数及び／又は前記アップリンク制御信号の拡張シーケンス長を確定することは、前記端末が前記ネットワーク装置から送信された前記アップリンク制御信号のシーケンス長を受信することと、前記端末が前記ネットワーク装置から送信された、前記アップリンク制御信号を伝送するための物理リソース数を受信し、前記端末が前記アップリンク制御信号のシーケンス長と前記アップリンク制御信号を伝送するための物理リソース数に基づき、前記アップリンク制御信号を伝送するために必要な回数を確定することとを含む。
【０２０２】
選択可能に、一つの実施例として、前記端末が前記ネットワーク装置からの指示に応じて、前記アップリンク制御信号を伝送するために必要な伝送回数及び／又は前記アップリンク制御信号の拡張シーケンス長を確定することは、前記端末が前記ネットワーク装置から送信されたダウンリンク制御情報（ＤＣＩ）を受信し、前記ＤＣＩに前記アップリンク制御信号を伝送するために必要な伝送回数及び／又は前記アップリンク制御信号の拡張シーケンス長が含まれることを含む。
【０２０３】
選択可能に、一つの実施例として、前記端末が前記ネットワーク装置からの指示に応じて、前記アップリンク制御信号を伝送するために必要な伝送回数及び／又は前記アップリンク制御信号の拡張シーケンス長を確定することは、前記端末が前記ネットワーク装置から送信された上位層シグナリングを受信し、前記上位層シグナリングに第一のタイプのアップリンク信号を伝送するために必要な伝送回数及び／又は前記第一のタイプのアップリンク信号の拡張シーケンス長が含まれることを含む。
【０２０４】
以上に図１〜図１１を組み合わせながら本発明の実施例によるアップリンク信号の伝送方法を詳細に説明したが、以下に図１２〜図１５を組み合わせながら本発明の実施例によるアップリンク信号を伝送する装置を詳細に説明する。理解すべきものとして、図１２と図１４に示す装置は図２における各ステップを実現することができ、図１３と図１５に示す装置は図１１における各ステップを実現することができ、繰り返しを回避するために、ここで詳細な説明を省略する。
【０２０５】
図１２は本発明の実施例による信号を伝送するための装置を示す概略ブロック図である。図１２に示す装置１２００は第一の確定モジュール１２１０と受信モジュール１２２０を備える。
【０２０６】
第一の確定モジュール１２１０は、時間領域スケジューリングユニット内のアップリンク制御信号を伝送するための物理リソースを確定するように構成される。
【０２０７】
受信モジュール１２２０は、アップリンク制御信号を伝送するための前記物理リソースで前記アップリンク制御信号を受信するように構成され、前記アップリンク制御信号がサイクリックプレフィックス−直交周波数分割多重（ＣＰ−ＯＦＤＭ）波形を用いて伝送される。
【０２０８】
選択可能に、一つの実施例として、前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられる。
【０２０９】
選択可能に、一つの実施例として、前記少なくとも一つの物理リソース領域の各物理リソース領域は周波数領域において少なくとも一つの周波数領域リソースブロックで構成される。
【０２１０】
選択可能に、一つの実施例として、前記アップリンク制御信号が異なるタイプのアップリンク制御信号を含み、前記アップリンク制御信号を伝送するための物理リソースが一つのリソースブロックであり、前記リソースブロックが少なくとも一つの物理リソース領域を含み、異なる物理リソース領域が異なるタイプのアップリンク制御信号を伝送することに用いられる。
【０２１１】
選択可能に、一つの実施例として、前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルである。
【０２１２】
選択可能に、一つの実施例として、前記少なくとも一つの物理リソース領域はさらに第二の物理リソース領域を含み、前記第二の物理リソース領域と前記第一の物理リソース領域が時間領域において連続する。
【０２１３】
選択可能に、一つの実施例として、前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルである。
【０２１４】
選択可能に、一つの実施例として、前記装置はさらに前記端末が時間領域スケジューリングユニット内で基準信号を伝送するための物理リソースを確定するように構成され、基準信号を伝送するための前記物理リソースが前記少なくとも一つの物理リソース領域のうちの一つの物理リソース領域に配置される第二の確定モジュールを備える。
【０２１５】
選択可能に、一つの実施例として、前記基準信号を伝送するための物理リソース領域は周波数領域又は時間領域において離散的であり、又は前記基準信号を伝送するための物理リソースは周波数領域及び／又は時間領域において連続的である。
【０２１６】
選択可能に、一つの実施例として、前記アップリンク制御信号が複数のＡＣＫ／ＮＡＣＫ信号を含み、前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０２１７】
選択可能に、一つの実施例として、前記複数のＡＣＫ／ＮＡＣＫ信号はそれぞれ同じ長さを有する異なる直交シーケンス又は擬似直交シーケンスを用いて拡張された後、複数のＡＣＫ／ＮＡＣＫ信号を伝送するための前記リソースグループに重畳してマッピングされる。
【０２１８】
選択可能に、一つの実施例として、前記アップリンク制御信号がさらにＣＳＩフィードバック信号を含み、前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続する。
【０２１９】
選択可能に、一つの実施例として、前記第一の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含む。
【０２２０】
選択可能に、一つの実施例として、前記アップリンク制御信号が複数のＡＣＫ／ＮＡＣＫ信号を含み、前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０２２１】
選択可能に、一つの実施例として、前記第三の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含む。
【０２２２】
選択可能に、一つの実施例として、前記複数のＡＣＫ／ＮＡＣＫ信号はそれぞれ異なる時間領域スケジューリングユニット内のダウンリンクデータブロックに対応し、又は前記複数のＡＣＫ／ＮＡＣＫ信号は同一のダウンリンクデータブロックの異なるコードワードに対応する。
【０２２３】
選択可能に、一つの実施例として、前記装置はさらに前記端末へ指示情報を送信するように構成され、前記指示情報が時間領域スケジューリングユニット内のアップリンク制御信号を伝送するための物理リソースを示すことに用いられる送信モジュールを備える。
【０２２４】
選択可能に、一つの実施例として、前記送信モジュールは具体的に前記端末へ指示情報を送信するように構成され、前記指示情報が時間領域スケジューリングユニット内のアップリンク制御信号を伝送するための物理リソースの周波数領域リソース配置と時間領域リソース配置を示すことに用いられる。
【０２２５】
選択可能に、一つの実施例として、前記指示情報はさらに前記端末が前記時間領域スケジューリングユニット内でアップリンクデータを伝送するための物理リソースを示すことに用いられる。
【０２２６】
選択可能に、一つの実施例として、前記送信モジュールは具体的に前記端末へ上位層シグナリング又は物理層シグナリングを送信するように構成され、前記上位層シグナリング又は前記物理層シグナリングに前記指示情報が含まれる。
【０２２７】
選択可能に、一つの実施例として、前記装置はさらに前記アップリンク制御信号を伝送するために必要な伝送回数及び／又は前記アップリンク制御信号の拡張シーケンス長を確定するように構成される第三の確定モジュールと、前記アップリンク制御信号を伝送するために必要な伝送回数及び／又は前記アップリンク制御信号の拡張シーケンス長を前記端末に指示するように構成される指示モジュールとを備える。
【０２２８】
選択可能に、一つの実施例として、前記指示モジュールは具体的に前記端末へ前記アップリンク制御信号のシーケンス長を送信し、前記端末へ前記アップリンク制御信号を伝送するための物理リソース数を送信するように構成される。
【０２２９】
選択可能に、一つの実施例として、前記指示モジュールは具体的に前記端末へダウンリンク制御情報（ＤＣＩ）を送信するように構成され、前記ＤＣＩに前記アップリンク制御信号を伝送するために必要な伝送回数及び／又は前記アップリンク制御信号の拡張シーケンス長が含まれる。
【０２３０】
選択可能に、一つの実施例として、前記指示モジュールは具体的に前記端末へ上位層シグナリングを送信するように構成され、前記上位層シグナリングに前記第一のタイプのアップリンク制御信号を伝送するために必要な伝送回数及び／又は前記第一のタイプアップリンク信号の拡張シーケンス長が含まれる。
【０２３１】
図１３は本発明の別の実施例によるアップリンク制御信号の伝送装置を示す概略ブロック図である。図１３に示す装置１３００は第一の確定モジュール１３１４０と送信モジュール１３２０を備える。
【０２３２】
第一の確定モジュール１３１０は、時間領域スケジューリングユニット内のアップリンク制御信号を伝送するための物理リソースを確定するように構成される。
【０２３３】
送信モジュール１３２０は、前記アップリンク制御信号を伝送するための物理リソースでネットワーク装置へ前記アップリンク制御信号を送信するように構成され、前記アップリンク制御信号がサイクリックプレフィックス−直交周波数分割多重（ＣＰ−ＯＦＤＭ）波形を用いて伝送される。
【０２３４】
選択可能に、一つの実施例として、前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられる。
【０２３５】
選択可能に、一つの実施例として、前記少なくとも一つの物理リソース領域の各物理リソース領域は周波数領域において少なくとも一つの周波数領域リソースブロックで構成される。
【０２３６】
選択可能に、一つの実施例として、前記アップリンク制御信号が異なるタイプのアップリンク制御信号を含み、前記アップリンク制御信号を伝送するための物理リソースが一つのリソースブロックであり、前記リソースブロックが少なくとも一つの物理リソース領域を含み、異なる物理リソース領域が異なるタイプのアップリンク制御信号を伝送することに用いられる。
【０２３７】
選択可能に、一つの実施例として、前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルである。
【０２３８】
選択可能に、一つの実施例として、前記少なくとも一つの物理リソース領域はさらに第二の物理リソース領域を含み、前記第二の物理リソース領域と前記第一の物理リソース領域が時間領域において連続する。
【０２３９】
選択可能に、一つの実施例として、前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルである。
【０２４０】
選択可能に、一つの実施例として、前記少なくとも一つの物理リソース領域のうちの一つの物理リソース領域に、前記基準信号を伝送するための物理リソースが配置される。
【０２４１】
選択可能に、一つの実施例として、前記基準信号を伝送するための物理リソース領域は周波数領域又は時間領域において離散的であり、又は前記基準信号を伝送するための物理リソースは周波数領域及び／又は時間領域において連続的である。
【０２４２】
選択可能に、一つの実施例として、前記アップリンク制御信号が複数のＡＣＫ／ＮＡＣＫ信号を含み、前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０２４３】
選択可能に、一つの実施例として、前記装置は、さらに同じ長さを有する異なる直交又は擬似直交シーケンスを用いて前記複数のＡＣＫ／ＮＡＣＫ信号を拡張し、前記リソースグループにマッピングして重畳させるように構成される第一のマッピングモジュールを備える。
【０２４４】
選択可能に、一つの実施例として、前記アップリンク制御信号がさらにＣＳＩフィードバック信号を含み、前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続する。
【０２４５】
選択可能に、一つの実施例として、前記装置はさらに同じ長さを有する異なる直交シーケンス又は擬似直交シーケンスを用いて前記複数のＡＣＫ／ＮＡＣＫ信号を拡張し、前記複数のＡＣＫ／ＮＡＣＫ信号の伝送回数で異なる位置のリソースグループに繰り返してマッピングするように構成され、前記リソースグループが前記複数のＡＣＫ／ＮＡＣＫ信号を伝送するための物理リソースを含む第二のマッピングモジュールを備える。
【０２４６】
選択可能に、一つの実施例として、前記アップリンク制御信号が複数のＡＣＫ／ＮＡＣＫ信号を含み、前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０２４７】
選択可能に、一つの実施例として、前記第三の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含む。
【０２４８】
選択可能に、一つの実施例として、前記複数のＡＣＫ／ＮＡＣＫ信号はそれぞれ異なる時間領域スケジューリングユニット内のダウンリンクデータブロックに対応し、又は前記複数のＡＣＫ／ＮＡＣＫ信号は同一のダウンリンクデータブロックの異なるコードワードに対応する。
【０２４９】
選択可能に、一つの実施例として、前記第一の確定モジュールは、前記ネットワーク装置から送信された指示情報を受信するように構成され、前記指示情報が時間領域スケジューリングユニット内のアップリンク制御信号を伝送するための物理リソースを示すことに用いられる。
【０２５０】
選択可能に、一つの実施例として、前記第一の確定モジュールは具体的に前記ネットワーク装置から送信された指示情報を受信するように構成され、前記指示情報が時間領域スケジューリングユニット内のアップリンク制御信号を伝送するための物理リソースの周波数領域リソース配置と時間領域リソース配置を示すことに用いられる。
【０２５１】
選択可能に、一つの実施例として、前記指示情報はさらに前記端末が前記時間領域スケジューリングユニット内でアップリンクデータを伝送するための物理リソースを示すことに用いられる。
【０２５２】
選択可能に、一つの実施例として、前記第一の確定モジュールは具体的に前記ネットワーク装置から送信された上位層シグナリング又は物理層シグナリングを受信するように構成され、前記上位層シグナリング又は前記物理層シグナリングに前記指示情報が含まれる。
【０２５３】
選択可能に、一つの実施例として、前記装置はさらに前記ネットワーク装置からの指示に応じて、前記アップリンク制御信号を伝送するために必要な伝送回数及び／又は前記アップリンク制御信号の拡張シーケンス長を確定するように構成される第二の確定モジュールを備え、前記送信モジュールは具体的に前記アップリンク制御信号を伝送するために必要な伝送回数及び／又は前記アップリンク制御信号の拡張シーケンス長で、前記アップリンク制御信号を伝送するための物理リソースでネットワーク装置へ前記アップリンク制御信号を送信するように構成される。
【０２５４】
選択可能に、一つの実施例として、前記第二の確定モジュールは具体的に前記ネットワーク装置から送信された前記アップリンク制御信号のシーケンス長を受信し、前記ネットワーク装置から送信された、前記アップリンク制御信号を伝送するための物理リソース数を受信し、前記アップリンク制御信号のシーケンス長と前記アップリンク制御信号を伝送するための物理リソース数に基づき、前記アップリンク制御信号を伝送するために必要な回数を確定するように構成される。
【０２５５】
選択可能に、一つの実施例として、前記第二の確定モジュールは具体的に前記ネットワーク装置から送信されたダウンリンク制御情報（ＤＣＩ）を受信するように構成され、前記ＤＣＩに前記アップリンク制御信号を伝送するために必要な伝送回数及び／又は前記アップリンク制御信号の拡張シーケンス長が含まれる。
【０２５６】
選択可能に、一つの実施例として、前記第二の確定モジュールは具体的に前記ネットワーク装置から送信された上位層シグナリングを受信するように構成され、前記上位層シグナリングに前記第一のタイプのアップリンク制御信号を伝送するために必要な伝送回数及び／又は前記第一のタイプのアップリンク制御信号の拡張シーケンス長が含まれる。
【０２５７】
図１４は本発明の別の実施例によるアップリンク信号を伝送する装置を示す概略ブロック図である。図１４に示すデータを伝送するための装置１４００はメモリ１４１０、プロセッサ１４２０、入力／出力インタフェース１４３０、通信インタフェース１４４０とバスシステム１４５０を備える。ここで、メモリ１４１０、プロセッサ１４２０、入力／出力インタフェース１４３０と通信インタフェース１４４０がバスシステム１４５０を介して接続し、該メモリ１４１０が命令を記憶するように構成され、該プロセッサ１４２０が該メモリ１４２０に記憶された命令を実行し、入力されたデータ及び情報を受信し、操作結果などの情報を出力するように入力／出力インタフェース１４３０を制御し、そして信号を送信するように通信インタフェース１４４０を制御するように構成される。
【０２５８】
プロセッサ１４２０は、時間領域スケジューリングユニット内のアップリンク制御信号を伝送するための物理リソースを確定するように構成される。
【０２５９】
通信インタフェース１４４０は、アップリンク制御信号を伝送するための前記物理リソースで前記アップリンク制御信号を受信するように構成され、前記アップリンク制御信号がサイクリックプレフィックス−直交周波数分割多重（ＣＰ−ＯＦＤＭ）波形を用いて伝送される。
【０２６０】
理解すべきものとして、本発明の実施例では、該プロセッサ１４２０は汎用の中央プロセッサ（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は関連プログラムを実行するための一つ又は複数の集積回路を用い、本発明の実施例による技術的解決策を実現することができる。
【０２６１】
また、理解すべきものとして、通信インタフェース１４４０は例えば送受信機のような送受信装置を用い、信号検出のための装置１４００と他の装置又は通信ネットワークの間の通信を実現するがこれに限定されない。
【０２６２】
該メモリ１４１０は読み取り専用メモリとランダムアクセスメモリを含み、そしてプロセッサ１４２０へ命令とデータを提供することができる。プロセッサ１４２０の一部は不揮発性ランダムアクセスメモリを含むことができる。例えば、プロセッサ１４２０は装置タイプの情報を記憶することもできる。
【０２６３】
該バスシステム１４５０はデータバス以外、電源バス、制御バスと状態信号バスなどを含むことができる。しかしながら、説明を明確にするために、図では様々なバスシステムがバスシステム１４５０として標識される。
【０２６４】
実施プロセスでは、上記方法の各ステップは、プロセッサ１４２０内のハードウェアの集積論理回路又はソフトウェアの形の命令によって完了されてもよい。本発明の実施例と組み合わせて開示されたアップリンク信号の伝送方法のステップはハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ１４１０に位置し、プロセッサ１４２０はメモリ１４１０における情報を読み取り、そのハードウェアと組み合わせて上記方法のステップを完了する。繰り返しを回避するために、ここで詳細な説明を省略する。
【０２６５】
選択可能に、一つの実施例として、前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられる。
【０２６６】
選択可能に、一つの実施例として、前記少なくとも一つの物理リソース領域の各物理リソース領域は周波数領域において少なくとも一つの周波数領域リソースブロックで構成される。
【０２６７】
選択可能に、一つの実施例として、前記アップリンク制御信号が異なるタイプのアップリンク制御信号を含み、前記アップリンク制御信号を伝送するための物理リソースが一つのリソースブロックであり、前記リソースブロックが少なくとも一つの物理リソース領域を含み、異なる物理リソース領域が異なるタイプのアップリンク制御信号を伝送することに用いられる。
【０２６８】
選択可能に、一つの実施例として、前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルである。
【０２６９】
選択可能に、一つの実施例として、前記少なくとも一つの物理リソース領域はさらに第二の物理リソース領域を含み、前記第二の物理リソース領域と前記第一の物理リソース領域が時間領域において連続する。
【０２７０】
選択可能に、一つの実施例として、前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルである。
【０２７１】
選択可能に、一つの実施例として、前記プロセッサはさらに前記端末が時間領域スケジューリングユニット内で基準信号を伝送するための物理リソースを確定するように構成され、基準信号を伝送するための前記物理リソースが前記少なくとも一つの物理リソース領域のうちの一つの物理リソース領域に配置される。
【０２７２】
選択可能に、一つの実施例として、前記基準信号を伝送するための物理リソース領域は周波数領域又は時間領域において離散的であり、又は前記基準信号を伝送するための物理リソースは周波数領域及び／又は時間領域において連続的である。
【０２７３】
選択可能に、一つの実施例として、前記アップリンク制御信号が複数のＡＣＫ／ＮＡＣＫ信号を含み、前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０２７４】
選択可能に、一つの実施例として、前記複数のＡＣＫ／ＮＡＣＫ信号はそれぞれ同じ長さを有する異なる直交シーケンス又は擬似直交シーケンスを用いて拡張された後、複数のＡＣＫ／ＮＡＣＫ信号を伝送するための前記リソースグループに重畳してマッピングされる。
【０２７５】
選択可能に、一つの実施例として、前記アップリンク制御信号がさらにＣＳＩフィードバック信号を含み、前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続する。
【０２７６】
選択可能に、一つの実施例として、前記第一の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含む。
【０２７７】
選択可能に、一つの実施例として、前記アップリンク制御信号が複数のＡＣＫ／ＮＡＣＫ信号を含み、前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０２７８】
選択可能に、一つの実施例として、前記第三の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含む。
【０２７９】
選択可能に、一つの実施例として、前記複数のＡＣＫ／ＮＡＣＫ信号はそれぞれ異なる時間領域スケジューリングユニット内のダウンリンクデータブロックに対応し、又は前記複数のＡＣＫ／ＮＡＣＫ信号は同一のダウンリンクデータブロックの異なるコードワードに対応する。
【０２８０】
選択可能に、一つの実施例として、前記通信インタフェースはさらに前記端末へ指示情報を送信するように構成され、前記指示情報が時間領域スケジューリングユニット内のアップリンク制御信号を伝送するための物理リソースを示すことに用いられる。
【０２８１】
選択可能に、一つの実施例として、前記通信モジュールは具体的に前記端末へ指示情報を送信するように構成され、前記指示情報が時間領域スケジューリングユニット内のアップリンク制御信号を伝送するための物理リソースの周波数領域リソース配置と時間領域リソース配置を示すことに用いられる。
【０２８２】
選択可能に、一つの実施例として、前記指示情報はさらに前記端末が前記時間領域スケジューリングユニット内でアップリンクデータを伝送するための物理リソースを示すことに用いられる。
【０２８３】
選択可能に、一つの実施例として、前記通信インタフェースは具体的に前記端末へ上位層シグナリング又は物理層シグナリングを送信するように構成され、前記上位層シグナリング又は前記物理層シグナリングに前記指示情報が含まれる。
【０２８４】
選択可能に、一つの実施例として、前記装置はさらに前記アップリンク制御信号を伝送するために必要な伝送回数及び／又は前記アップリンク制御信号の拡張シーケンス長を確定するように構成されるプロセッサと、前記アップリンク制御信号を伝送するために必要な伝送回数及び／又は前記アップリンク制御信号の拡張シーケンス長を前記端末に指示するように構成される通信インタフェースとを備える。
【０２８５】
選択可能に、一つの実施例として、前記通信インタフェースは具体的に前記端末へ前記アップリンク制御信号のシーケンス長を送信し、前記端末へ前記アップリンク制御信号を伝送するための物理リソース数を送信するように構成される。
【０２８６】
選択可能に、一つの実施例として、前記通信インタフェースは具体的に前記端末へダウンリンク制御情報（ＤＣＩ）を送信するように構成され、前記ＤＣＩに前記アップリンク制御信号を伝送するために必要な伝送回数及び／又は前記アップリンク制御信号の拡張シーケンス長が含まれる。
【０２８７】
選択可能に、一つの実施例として、前記通信インタフェースは具体的に前記端末へ上位層シグナリングを送信するように構成され、前記上位層シグナリングに前記第一のタイプのアップリンク制御信号を伝送するために必要な伝送回数及び／又は前記第一のタイプのアップリンク制御信号の拡張シーケンス長が含まれる。
【０２８８】
図１５は本発明の別の実施例によるアップリンク信号を伝送する装置を示す概略ブロック図である。図１５に示すデータを伝送するための装置１５００はメモリ１５１０、プロセッサ１５２０、入力／出力インタフェース１５３０、通信インタフェース１５４０とバスシステム１５５０を備える。ここで、メモリ１５１０、プロセッサ１５２０、入力／出力インタフェース１５３０と通信インタフェース１５４０がバスシステム１５５０を介して接続し、該メモリ１５１０が命令を記憶するように構成され、該プロセッサ１５２０が該メモリ１５２０に記憶された命令を実行し、入力されたデータ及び情報を受信し、操作結果などのデータを出力するように入力／出力インタフェース１５３０を制御し、そして信号を送信するように通信インタフェース１５４０を制御するように構成される。
【０２８９】
プロセッサ１５２０は、時間領域スケジューリングユニット内のアップリンク制御信号を伝送するための物理リソースを確定するように構成される。
【０２９０】
通信インタフェース１５４０は、前記アップリンク制御信号を伝送するための物理リソースでネットワーク装置へ前記アップリンク制御信号を送信するように構成され、前記アップリンク制御信号がサイクリックプレフィックス−直交周波数分割多重（ＣＰ−ＯＦＤＭ）波形を用いて伝送される。
【０２９１】
理解すべきものとして、本発明の実施例では、該プロセッサ１５２０は汎用の中央プロセッサ（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は関連プログラムを実行するための一つ又は複数の集積回路を用い、本発明の実施例による技術的解決策を実現することができる。
【０２９２】
また、理解すべきものとして、通信インタフェース１５４０は例えば送受信機のような送受信装置を用い、信号検出のための装置１５００と他の装置又は通信ネットワークの間の通信を実現するがこれに限定されない。
【０２９３】
該メモリ１５１０は読み取り専用メモリとランダムアクセスメモリを含み、そしてプロセッサ１５２０へ命令とデータを提供することができる。プロセッサ１５２０の一部は不揮発性ランダムアクセスメモリを含むことができる。例えば、プロセッサ１５２０は装置タイプの情報を記憶することもできる。
【０２９４】
該バスシステム１５５０はデータバス以外、電源バス、制御バスと状態信号バスなどを含むことができる。しかしながら、説明を明確にするために、図では様々なバスシステムがバスシステム１５５０として標識される。
【０２９５】
実施プロセスでは、上記方法の各ステップは、プロセッサ１５２０内のハードウェアの集積論理回路又はソフトウェアの形の命令によって完了されてもよい。本発明の実施例と組み合わせて開示されたアップリンク信号の伝送方法のステップはハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ１５１０に位置し、プロセッサ１５２０はメモリ１５１０における情報を読み取り、そのハードウェアと組み合わせて上記方法のステップを完了する。繰り返しを回避するために、ここで詳細な説明を省略する。
【０２９６】
選択可能に、一つの実施例として、前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられる。
【０２９７】
選択可能に、一つの実施例として、前記少なくとも一つの物理リソース領域の各物理リソース領域は周波数領域において少なくとも一つの周波数領域リソースブロックで構成される。
【０２９８】
選択可能に、一つの実施例として、前記アップリンク制御信号が異なるタイプのアップリンク制御信号を含み、前記アップリンク制御信号を伝送するための物理リソースが一つのリソースブロックであり、前記リソースブロックが少なくとも一つの物理リソース領域を含み、異なる物理リソース領域が異なるタイプのアップリンク制御信号を伝送することに用いられる。
【０２９９】
選択可能に、一つの実施例として、前記少なくとも一つの物理リソース領域は第一の物理リソース領域を含み、時間領域における前記第一の物理リソース領域の１番目の直交周波数分割多重（ＯＦＤＭ）シンボルが時間領域スケジューリングユニット内の開始ＯＦＤＭシンボルである。
【０３００】
選択可能に、一つの実施例として、前記少なくとも一つの物理リソース領域はさらに第二の物理リソース領域を含み、前記第二の物理リソース領域と前記第一の物理リソース領域が時間領域において連続する。
【０３０１】
選択可能に、一つの実施例として、前記少なくとも一つの物理リソース領域は第三の物理リソース領域を含み、時間領域における前記第三の物理リソース領域の最後のＯＦＤＭシンボルが前記時間領域スケジューリングユニット内の最後のＯＦＤＭシンボルである。
【０３０２】
選択可能に、一つの実施例として、前記少なくとも一つの物理リソース領域のうちの一つの物理リソース領域に、前記基準信号を伝送するための物理リソースが配置される。
【０３０３】
選択可能に、一つの実施例として、前記基準信号を伝送するための物理リソース領域は周波数領域又は時間領域において離散的であり、又は前記基準信号を伝送するための物理リソースは周波数領域及び／又は時間領域において連続的である。
【０３０４】
選択可能に、一つの実施例として、前記アップリンク制御信号が複数のＡＣＫ／ＮＡＣＫ信号を含み、前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０３０５】
選択可能に、一つの実施例として、前記プロセッサは、同じ長さを有する異なる直交又は擬似直交シーケンスを用いて前記複数のＡＣＫ／ＮＡＣＫ信号を拡張し、前記リソースグループにマッピングして重畳させるように構成される。
【０３０６】
選択可能に、一つの実施例として、前記アップリンク制御信号がさらにＣＳＩフィードバック信号を含み、前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続する。
【０３０７】
選択可能に、一つの実施例として、前記プロセッサは同じ長さを有する異なる直交シーケンス又は擬似直交シーケンスを用いて前記複数のＡＣＫ／ＮＡＣＫ信号を拡張し、前記複数のＡＣＫ／ＮＡＣＫ信号の伝送回数で異なる位置のリソースグループに繰り返してマッピングするように構成され、前記リソースグループが前記複数のＡＣＫ／ＮＡＣＫ信号を伝送するための物理リソースを含む。
【０３０８】
選択可能に、一つの実施例として、前記アップリンク制御信号が複数のＡＣＫ／ＮＡＣＫ信号を含み、前記第三の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列する。
【０３０９】
選択可能に、一つの実施例として、前記第三の物理リソース伝送領域において、前記複数のＡＣＫ／ＮＡＣＫ信号は同じ長さを有する異なる直交シーケンス又は擬似直交シーケンスを用いて拡張されて重畳された後、前記複数のＡＣＫ／ＮＡＣＫ信号の伝送回数で異なる位置のリソースグループに繰り返してマッピングされ、前記リソースグループが前記複数のＡＣＫ／ＮＡＣＫ信号を伝送するための物理リソースを含む。
【０３１０】
選択可能に、一つの実施例として、前記複数のＡＣＫ／ＮＡＣＫ信号はそれぞれ異なる時間領域スケジューリングユニット内のダウンリンクデータブロックに対応し、又は前記複数のＡＣＫ／ＮＡＣＫ信号は同一のダウンリンクデータブロックの異なるコードワードに対応する。
【０３１１】
選択可能に、一つの実施例として、前記プロセッサは、前記ネットワーク装置から送信された指示情報を受信するように構成され、前記指示情報が時間領域スケジューリングユニット内のアップリンク制御信号を伝送するための物理リソースを示すことに用いられる。
【０３１２】
選択可能に、一つの実施例として、前記プロセッサは具体的に前記ネットワーク装置から送信された指示情報を受信するように構成され、前記指示情報が時間領域スケジューリングユニット内のアップリンク制御信号を伝送するための物理リソースの周波数領域リソース配置と時間領域リソース配置を示すことに用いられる。
【０３１３】
選択可能に、一つの実施例として、前記指示情報はさらに前記端末が前記時間領域スケジューリングユニット内でアップリンクデータを伝送するための物理リソースを示すことに用いられる。
【０３１４】
選択可能に、一つの実施例として、前記プロセッサは具体的に前記ネットワーク装置から送信された上位層シグナリング又は物理層シグナリングを受信するように構成され、前記上位層シグナリング又は前記物理層シグナリングに前記指示情報が含まれる。
【０３１５】
選択可能に、一つの実施例として、前記プロセッサは前記ネットワーク装置からの指示に応じて、前記アップリンク制御信号を伝送するために必要な伝送回数及び／又は前記アップリンク制御信号の拡張シーケンス長を確定するように構成され、前記通信インタフェースは具体的に前記アップリンク制御信号を伝送するために必要な伝送回数及び／又は前記アップリンク制御信号の拡張シーケンス長で、前記アップリンク制御信号を伝送するための物理リソースでネットワーク装置へ前記アップリンク制御信号を送信するように構成される。
【０３１６】
選択可能に、一つの実施例として、前記プロセッサは具体的に前記ネットワーク装置から送信された前記アップリンク制御信号のシーケンス長を受信し、前記ネットワーク装置から送信された、前記アップリンク制御信号を伝送するための物理リソース数を受信し、前記アップリンク制御信号のシーケンス長と前記アップリンク制御信号を伝送するための物理リソース数に基づき、前記アップリンク制御信号を伝送するために必要な回数を確定するように構成される。
【０３１７】
選択可能に、一つの実施例として、前記プロセッサは具体的に前記ネットワーク装置から送信されたダウンリンク制御情報（ＤＣＩ）を受信するように構成され、前記ＤＣＩに前記アップリンク制御信号を伝送するために必要な伝送回数及び／又は前記アップリンク制御信号の拡張シーケンス長が含まれる。
【０３１８】
選択可能に、一つの実施例として、前記プロセッサは具体的に前記ネットワーク装置から送信された上位層シグナリングを受信するように構成され、前記上位層シグナリングに前記第一のタイプのアップリンク制御信号を伝送するために必要な伝送回数及び／又は前記第一のタイプのアップリンク制御信号の拡張シーケンス長が含まれる。
【０３１９】
理解すべきものとして、本発明の実施例では、「Ａに対応するＢ」はＢがＡと関連することを示し、Ａに基づいてＢを確定することができる。しかし、理解すべきものとして、Ａに基づいてＢを確定することはＡのみに基づいてＢを確定することを意味せず、Ａ及び／又は他の情報に基づいてＢを確定することができる。
【０３２０】
理解すべきものとして、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０３２１】
本発明の様々な実施例では、上記各プロセスの番号の大きさが実行順序を意味せず、各プロセスの実行順序はその機能と内部論理で確定されるべきであり、本発明の実施例の実施プロセスのいかなる限定を構成すべきではないと理解すべきである。
【０３２２】
本出願が提供する、いくつかの実施例では、開示されたシステム、装置および方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得て、例えば複数のユニット又は構成要素は組み合わせてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０３２３】
分離部材として説明された前記ユニットは物理的に分離するものであってもよく又は物理的に分離するものでなくてもよく、ユニットとして表示された部材は物理的要素であってもよく又は物理的ユニットでなくてもよく、すなわち一つの箇所に位置してもよく、又は複数のネットワーク要素に分布してもよい。実際のニーズに応じてそのうちの一部又は全てのユニットを選択して本実施例の技術的解決策の目的を達成することができる。
【０３２４】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０３２５】
前記機能はソフトウェア機能ユニットの形態で実現され且つ独立した製品として販売又は使用される時に、一つのコンピュータ読み取り可能な記憶媒体に格納されてもよい。このような理解に基づき、本発明の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本発明の様々な実施例に記載された方法の全て又は部分のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【図１】
2020504481.tif 000003
【図２】
2020504481.tif 000004
【図３】
2020504481.tif 000005
【図４】
2020504481.tif 000006
【図５】
2020504481.tif 000007
【図６】
2020504481.tif 000008
【図７】
2020504481.tif 000009
【図８】
2020504481.tif 000010
【図９】
2020504481.tif 000011
【図１０】
2020504481.tif 000012
【図１１】
2020504481.tif 000013
【図１２】
2020504481.tif 000014
【図１３】
2020504481.tif 000015
【図１４】
2020504481.tif 000016
【図１５】
2020504481.tif 000017
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
アップリンク制御信号を伝送する方法であって、
端末が時間領域スケジューリングユニット内のアップリンク制御信号を伝送するための物理リソースを確定することと、
前記端末が前記物理リソースでネットワーク装置へ前記アップリンク制御信号を送信し、前記アップリンク制御信号がサイクリックプレフィックス−直交周波数分割多重（ＣＰ−ＯＦＤＭ）波形を用いて伝送されることとを含む、前記アップリンク制御信号を伝送する方法。
【請求項２】
前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられることを特徴とする
請求項１に記載の方法。
【請求項３】
前記少なくとも一つの物理リソース領域は、さらに第一の物理リソース領域および第二の物理リソース領域を含み、前記第一の物理リソース領域がＡＣＫ／ＮＡＣＫ信号を伝送することに用いられ、前記第二の物理リソース領域がチャネル状態情報（ＣＳＩ）フィードバック信号を伝送することに用いられることを特徴とする請求項２に記載の方法。
【請求項４】
前記少なくとも一つの物理リソース領域は第三の物理リソース領域をさらに含み、
前記第一の物理リソース領域、前記第二の物理リソース領域と前記第三の物理リソース領域の間に重畳する物理リソース領域が存在し、又は、
第一の物理リソース領域、第二の物理リソース領域と第三の物理リソース領域が時間領域において連続する、
ことを特徴とする
請求項３に記載の方法。
【請求項５】
前記第二の物理リソース領域と前記第一の物理リソース領域が時間領域において連続することを特徴とする
請求項３に記載の方法。
【請求項６】
時間領域における前記第三の物理リソース領域の最後のＯＦＤＭシンボルが前記時間領域スケジューリングユニット内の最後のＯＦＤＭシンボルであることを特徴とする
請求項５に記載の方法。
【請求項７】
前記記少なくとも一つの物理リソース領域のうちの一つの物理リソース領域に、前記基準信号を伝送するための物理リソースが配置されることを特徴とする
請求項２−６のいずれか一項に記載の方法。
【請求項８】
前記基準信号を伝送するための前記物理リソースは周波数領域又は時間領域で離散的であることを特徴とする
請求項７に記載の方法。
【請求項９】
前記アップリンク制御信号が複数のＡＣＫ／ＮＡＣＫ信号を含み、前記第一の物理リソース領域に前記基準信号を伝送するための物理リソースが配置されている場合、
前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することを特徴とする
請求項７又は８に記載の方法。
【請求項１０】
前記アップリンク制御信号がさらにＣＳＩフィードバック信号を含み、前記第二の物理リソース領域に前記基準信号を伝送するための物理リソースが配置されている場合、
前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続することを特徴とする
請求項７又は８に記載の方法。
【請求項１１】
前記アップリンク制御信号が複数のＡＣＫ／ＮＡＣＫ信号を含み、
前記第三の物理リソース領域において、複数のＡＣＫ／ＮＡＣＫ信号を伝送するための物理リソースと前記基準信号を伝送するための物理リソースが重畳しないことを特徴とする
請求項７又は８に記載の方法。
【請求項１２】
前記複数のＡＣＫ／ＮＡＣＫ信号はそれぞれ異なる時間領域スケジューリングユニット内のダウンリンクデータブロックに対応し、又は
前記複数のＡＣＫ／ＮＡＣＫ信号は同一のダウンリンクデータブロックの異なるコードワードに対応することを特徴とする
請求項９−１１のいずれか一項に記載の方法。
【請求項１３】
前記端末が時間領域スケジューリングユニット内のアップリンク制御信号を伝送するための物理リソースを確定することは、
前記端末が前記ネットワーク装置から送信された指示情報を受信し、前記指示情報が時間領域スケジューリングユニット内のアップリンク制御信号を伝送するための物理リソースを示すことに用いられることを含むことを特徴とする
請求項１−１２のいずれか一項に記載の方法。
【請求項１４】
前記指示情報はさらに前記端末が前記時間領域スケジューリングユニット内でアップリンクデータを伝送するための物理リソースを示すことに用いられることを特徴とする
請求項１３に記載の方法。
【請求項１５】
物理リソースはリソースエレメント（ＲＥ）を含む、ことを特徴とする
請求項１−１４に記載の方法。
【請求項１６】
前記各物理リソース領域は複数の周波数領域における連続するリソースエレメント（ＲＥ）と複数のＯＦＤＭシンボルを含むことを特徴とする
請求項２−１４のいずれか一項に記載の方法。
【請求項１７】
前記時間領域スケジューリングユニットは一つのアップリンクスケジューリング周期、又は一つのタイムスロットであることを特徴とする
請求項１−１６のいずれか一項に記載の方法。
【請求項１８】
アップリンク制御信号の伝送装置であって、
時間領域スケジューリングユニット内のアップリンク制御信号を伝送するための物理リソースを確定するように構成される第一の確定モジュールと、
前記物理リソースでネットワーク装置へ前記アップリンク制御信号を送信するように構成され、前記アップリンク制御信号がサイクリックプレフィックス−直交周波数分割多重（ＣＰ−ＯＦＤＭ）波形を用いて伝送される送信モジュールとを備える、前記アップリンク制御信号の伝送装置。
【請求項１９】
前記時間領域スケジューリングユニット内で、前記アップリンク制御信号を伝送するための物理リソースは少なくとも一つの物理リソース領域を含み、異なる物理リソース領域が異なるタイプのアップリンク制御信号を伝送することに用いられることを特徴とする
請求項１８に記載の装置。
【請求項２０】
前記少なくとも一つの物理リソース領域は、さらに第一の物理リソース領域および第二の物理リソース領域を含み、前記第一の物理リソース領域がＡＣＫ／ＮＡＣＫ信号を伝送することに用いられ、前記第二の物理リソース領域がチャネル状態情報（ＣＳＩ）フィードバック信号を伝送することに用いられることを特徴とする
請求項１９に記載の装置。
【請求項２１】
前記少なくとも一つの物理リソース領域は第三の物理リソース領域をさらに含み、
前記第一の物理リソース領域、前記第二の物理リソース領域と前記第三の物理リソース領域の間に重畳する物理リソース領域が存在し、又は、
第一の物理リソース領域、第二の物理リソース領域と第三の物理リソース領域が時間領域において連続する、
ことを特徴とする
請求項２０に記載の装置。
【請求項２２】
前記第二の物理リソース領域と前記第一の物理リソース領域が時間領域において連続することを特徴とする
請求項２０に記載の装置。
【請求項２３】
時間領域における前記第三の物理リソース領域の最後のＯＦＤＭシンボルが前記時間領域スケジューリングユニット内の最後のＯＦＤＭシンボルであることを特徴とする
請求項２２に記載の装置。
【請求項２４】
前記記少なくとも一つの物理リソース領域のうちの一つの物理リソース領域に、前記基準信号を伝送するための物理リソースが配置されることを特徴とする
請求項１９−２３のいずれか一項に記載の装置。
【請求項２５】
前記基準信号を伝送するための前記物理リソースは周波数領域又は時間領域で離散的である、ことを特徴とする
請求項２４に記載の装置。
【請求項２６】
前記アップリンク制御信号が複数のＡＣＫ／ＮＡＣＫ信号を含み、前記第一の物理リソース領域に前記基準信号を伝送するための物理リソースが配置されている場合、
前記第一の物理リソース領域において、複数のＡＣＫ／ＮＡＣＫ信号を伝送するための物理リソースと前記基準信号を伝送するための物理リソースが重畳せず、前記複数のＡＣＫ／ＮＡＣＫ信号を伝送するためのリソースグループに含まれる物理リソースと前記基準信号を伝送するための物理リソースが同一のＯＦＤＭシンボルで交互に連続して配列することを特徴とする
請求項２４又は２５に記載の装置。
【請求項２７】
前記アップリンク制御信号がさらにＣＳＩフィードバック信号を含み、前記第二の物理リソース領域に前記基準信号を伝送するための物理リソースが配置されている場合、
前記第二の物理リソース伝送領域において、前記チャネル状態情報（ＣＳＩ）フィードバック信号を伝送するための物理リソースと前記基準信号を伝送するための物理リソースが重畳せず、前記基準信号を伝送するリソースグループにおける物理リソースが時間領域において連続することを特徴とする
請求項２４又は２５に記載の装置。
【請求項２８】
前記アップリンク制御信号が複数のＡＣＫ／ＮＡＣＫ信号を含み、
前記第三の物理リソース領域において、複数のＡＣＫ／ＮＡＣＫ信号を伝送するための物理リソースと前記基準信号を伝送するための物理リソースが重畳しないことを特徴とする
請求項２４又は２５に記載の装置。
【請求項２９】
前記複数のＡＣＫ／ＮＡＣＫ信号はそれぞれ異なる時間領域スケジューリングユニット内のダウンリンクデータブロックに対応し、又は
前記複数のＡＣＫ／ＮＡＣＫ信号は同一のダウンリンクデータブロックの異なるコードワードに対応することを特徴とする
請求項１８−２８のいずれか一項に記載の装置。
【請求項３０】
前記第一の確定モジュールは、
前記ネットワーク装置から送信された指示情報を受信するように構成され、前記指示情報が時間領域スケジューリングユニット内のアップリンク制御信号を伝送するための物理リソースを示すことに用いられることを特徴とする
請求項１８−２９のいずれか一項に記載の装置。
【請求項３１】
前記指示情報はさらに前記端末が前記時間領域スケジューリングユニット内でアップリンクデータを伝送するための物理リソースを示すことに用いられることを特徴とする
請求項３０に記載の装置。
【請求項３２】
物理リソースはリソースエレメント（ＲＥ）を含む、ことを特徴とする
請求項１８−３１のいずれかに記載の装置。
【請求項３３】
前記各物理リソース領域は複数の周波数領域における連続するリソースエレメント（ＲＥ）と複数のＯＦＤＭシンボルを含むことを特徴とする
請求項１９−３１のいずれか一項に記載の装置。
【請求項３４】
前記時間領域スケジューリングユニットは一つのアップリンクスケジューリング周期、又は一つのタイムスロットであることを特徴とする
請求項１８−３３のいずれか一項に記載の装置。
【国際調査報告】
2020504481.tif 000018
2020504481.tif 000019
2020504481.tif 000020
2020504481.tif 000021